(57)【要約】  エネルギー使用需要管理の判断サポートシステムが、エネルギー消費及びコストを管理する。一方向ブロードキャスト通信機能が、エネルギー管理データをエネルギー消費者母集団に送信する。受信器−コントローラが、エネルギー管理データの受信に応答して、装置のエネルギー消費を変更する。エネルギー消費モニタが、少なくとも部分的に、装置のエネルギー消費に関連するエネルギー消費情報を特定し、フィードバックパスを通して、エネルギー管理データに相関付けることができるエネルギー消費情報を提供する。受信器−コントローラは、エネルギー消費情報の分析に応答して、装置のエネルギー消費を変更する。
2015524093.tif 000002
【特許請求の範囲】
【請求項１】
管理システムであって、
１つ又は複数の装置にブロードキャストするメッセージを生成するように構成されるシステムマネージャを備え、前記メッセージの内容は、少なくとも部分的に、ユーザプリファレンス、装置応答データ、及び外部ソースからのデータのうちの１つ又は複数に基づき、前記メッセージは管理データ及びアドレスを含み、
前記システムマネージャは、ブロードキャストチャネルであって少なくとも１２キロビット／秒（ｋｂｐｓ）のデータスループットを有し、地上無線ＶＨＦ放送局のライセンス周波数のスペクトルマスク内で動作する広帯域デジタル副搬送波を備えるブロードキャストチャネルを介して通信されるように前記メッセージを提供するように更に構成され、
前記システムマネージャは、前記ブロードキャストチャネルとは異なる通信チャネルを使用して、装置応答データを受信するように更に構成され、前記受信される装置応答データは、前記管理データに対して作用する装置の応答に少なくとも部分的に基づく、管理システム。
【請求項２】
前記ユーザプリファレンス、前記装置応答データ、及び前記外部ソースからのデータを記憶するように構成されるデータベースを更に備える、請求項１に記載の管理システム。
【請求項３】
前記受信される装置応答データは、少なくとも部分的に、無線ネットワークを介して通信される、請求項１に記載の管理システム。
【請求項４】
前記無線ネットワークはインターネットを含む、請求項３に記載の管理システム。
【請求項５】
前記システムマネージャは、前記ユーザプリファレンス、前記装置応答データ、及び前記外部ソースからのデータのうちの１つ又は複数の分析に少なくとも部分的に基づいて、前記メッセージを生成するように更に構成される、請求項１に記載の管理システム。
【請求項６】
管理データはエネルギー管理データを含む、請求項１に記載の管理システム。
【請求項７】
前記装置は、前記エネルギー管理データの受信に応答して、前記装置のエネルギー消費を変更するように構成される制御モジュールを備える、請求項６に記載の管理システム。
【請求項８】
前記装置は、前記装置のエネルギー消費に少なくとも部分的に基づいてエネルギー消費情報を特定するように構成されるエネルギー消費モニタを更に備え、前記エネルギー消費モニタは、前記エネルギー消費情報を前記システムマネージャに提供するように更に構成され、前記装置応答データは前記エネルギー消費情報を含む、請求項７に記載の管理システム。
【請求項９】
前記システムマネージャは、前記エネルギー消費情報の分析に少なくとも部分的に基づいて前記エネルギー管理データを提供するように更に構成される、請求項８に記載の管理システム。
【請求項１０】
前記外部ソースからのデータは、再生可能エネルギー生成器からのセンサデータ及び天気データのうちの少なくとも１つを含み、前記メッセージは、前記再生可能エネルギー生成器からエネルギーを受け取る装置からのエネルギー負荷を制御するように構成される、請求項１に記載の管理システム。
【請求項１１】
前記外部ソースからのデータは、電気車両の充電ステーションからのセンサデータを含み、前記メッセージは、前記電気車両の充電ステーションにおいて充電されている電気車
両の充電率を変更するように構成される、請求項１に記載の管理システム。
【請求項１２】
前記外部ソースからのデータは、天気データ、蒸発散量データ、ユーザプリファレンス、及び用水量のうちの少なくとも１つを含み、前記メッセージは、電気モータ灌漑ポンプを制御するように構成される、請求項１に記載の管理システム。
【請求項１３】
前記外部ソースからのデータは、交通センサからのデータ、交通カメラからのデータ、及び高速道路パトロール情報のうちの少なくとも１つを含み、前記メッセージは、高速道路電子メッセージボードを制御して、道路状況を表示するように構成される、請求項１に記載の管理システム。
【請求項１４】
前記外部ソースからのデータは、地震センサからのデータ、津波センサからのデータ、緊急天気センサからのデータ、洪水センサからのデータ、及び雪崩センサからのデータのうちの少なくとも１つを含み、前記メッセージは、緊急アラートを公衆装置に提供して、緊急情報を広めるように構成される、請求項１に記載の管理システム。
【請求項１５】
前記外部ソースからのデータは、異種の緊急通信システムからの緊急データを含み、前記メッセージは、前記緊急データに基づいて、まとめられた緊急情報を公衆装置に提供して、前記緊急情報を広めるように構成される、請求項１に記載の管理システム。
【請求項１６】
前記外部ソースからのデータは、ソフトウェアアップデート及びウィルス制御ソフトウェアのうちの少なくとも一方を含み、前記メッセージは、前記ソフトウェアアップデート及び前記ウィルス制御ソフトウェアのうちの１つ又は複数を、アドレス指定可能な計算装置に提供するように構成される、請求項１に記載の管理システム。
【請求項１７】
前記外部ソースからのデータは、複数の個々のソースからのボイスデータ、ピクチャデータ、及びビデオデータのうちの少なくとも１つを含み、前記メッセージは、前記複数の単一ソースからのボイスデータ、ピクチャデータ、及びビデオデータのうちの少なくとも１つを、アドレス指定可能な１つ又は複数の装置に提供するように構成される、請求項１に記載の管理システム。
【請求項１８】
装置を管理する方法であって、
１つ又は複数の装置にブロードキャストするメッセージを生成することであって、前記メッセージの内容は、少なくとも部分的に、ユーザプリファレンス、装置応答データ、及び外部ソースからのデータのうちの１つ又は複数に基づき、前記メッセージは管理データ及びアドレスを含む、生成することと、
少なくとも１２キロビット／秒（ｋｂｐｓ）のデータスループットを有し、地上無線ＶＨＦ放送局のライセンス周波数のスペクトルマスク内で動作する広帯域デジタル副搬送波を備えるブロードキャストチャネルを介して通信されるように、前記メッセージを提供することと、
前記ブロードキャストチャネルとは異なる通信チャネルを使用して装置応答データを受信することであって、前記受信される装置応答データは、前記管理データに対して作用する装置の応答に少なくとも部分的に基づく、受信することと、
を含む、方法。
【請求項１９】
前記ユーザプリファレンス、前記装置応答データ、及び前記外部ソースからのデータをデータベースに記憶することを更に含む、請求項１８に記載の方法。
【請求項２０】
前記受信される装置応答データは少なくとも部分的に、無線ネットワークを介して通信される、請求項１８に記載の方法。
【請求項２１】
前記無線ネットワークはインターネットを含む、請求項２０に記載の方法。
【請求項２２】
前記ユーザプリファレンス、前記装置応答データ、及び前記外部ソースからのデータのうちの１つ又は複数の分析に少なくとも部分的に基づいて、前記１つ又は複数の装置への前記メッセージを生成することを更に含む、請求項１８に記載の方法。
【請求項２３】
管理データはエネルギー管理データを含む、請求項１８に記載の方法。
【請求項２４】
前記エネルギー管理データの受信に応答して、前記装置のエネルギー消費を変更することを更に含む、請求項２３に記載の方法。
【請求項２５】
前記装置のエネルギー消費に少なくとも部分的に基づいてエネルギー消費情報を特定することと、前記エネルギー消費情報を前記システムマネージャに提供することとを更に含み、前記装置応答データは前記エネルギー消費情報を含む、請求項２４に記載の方法。
【請求項２６】
前記エネルギー消費情報の分析に少なくとも部分的に基づいて前記エネルギー管理データを提供することを更に含む、請求項２５に記載の方法。
【請求項２７】
前記外部ソースからのデータは、再生可能エネルギー生成器からのセンサデータ及び天気データのうちの少なくとも１つを含み、前記メッセージは、前記再生可能エネルギー生成器からエネルギーを受け取る装置からのエネルギー負荷を制御するように構成される、請求項１８に記載の方法。
【請求項２８】
前記外部ソースからのデータは、電気車両の充電ステーションからのセンサデータを含み、前記メッセージは、前記電気車両の充電ステーションにおいて充電されている電気車両の充電率を変更するように構成される、請求項１８に記載の方法。
【請求項２９】
前記外部ソースからのデータは、天気データ、蒸発散量データ、ユーザプリファレンス、及び用水量のうちの少なくとも１つを含み、前記メッセージは、電気モータ灌漑ポンプを制御するように構成される、請求項１８に記載の方法。
【請求項３０】
前記外部ソースからのデータは、交通センサからのデータ、交通カメラからのデータ、及び高速道路パトロール情報のうちの少なくとも１つを含み、前記メッセージは、高速道路電子メッセージボードを制御して、道路状況を表示するように構成される、請求項１８に記載の方法。
【請求項３１】
前記外部ソースからのデータは、地震センサからのデータ、津波センサからのデータ、緊急天気センサからのデータ、洪水センサからのデータ、及び雪崩センサからのデータのうちの少なくとも１つを含み、前記メッセージは、緊急アラートを公衆装置に提供して、緊急情報を広めるように構成される、請求項１８に記載の方法。
【請求項３２】
前記外部ソースからのデータは、異種の緊急通信システムからの緊急データを含み、前記メッセージは、前記緊急データに基づいて、まとめられた緊急情報を公衆装置に提供して、前記緊急情報を広めるように構成される、請求項１８に記載の方法。
【請求項３３】
前記外部ソースからのデータは、ソフトウェアアップデート及びウィルス制御ソフトウェアのうちの少なくとも一方を含み、前記メッセージは、前記ソフトウェアアップデート及び前記ウィルス制御ソフトウェアのうちの１つ又は複数を、アドレス指定可能な計算装置に提供するように構成される、請求項１８に記載の方法。
【請求項３４】
前記外部ソースからのデータは、複数の個々のソースからのボイスデータ、ピクチャデータ、及びビデオデータのうちの少なくとも１つを含み、前記メッセージは、前記複数の単一ソースからのボイスデータ、ピクチャデータ、及びビデオデータのうちの前記少なくとも１つをアドレス指定可能な１つ又は複数の装置に提供するように構成される、請求項１８に記載の方法。
【請求項３５】
エネルギー消費及びコストを管理するシステムであって、
地上無線ＶＨＦ放送局のライセンス周波数のスペクトルマスク内で動作する広帯域デジタル副搬送波内で送信されるエネルギー管理データを取得するように構成される受信器と、
前記エネルギー管理データの受信に応答して、１つ又は複数の装置の前記エネルギー消費を変更するように構成される制御モジュールと、
前記装置の前記エネルギー消費に少なくとも部分的に関連するエネルギー消費情報を特定するように構成されるエネルギー消費モニタであって、エネルギー消費情報を提供するように更に構成される、エネルギー消費モニタと、
を備え、
前記制御モジュールは、前記エネルギー消費情報の分析に応えて、前記装置の前記エネルギー消費を変更するように更に構成される、システム。
【請求項３６】
ライセンス地上無線ＶＨＦ放送局の前記広帯域デジタル副搬送波は、少なくとも１２ｋｂｐｓのデータスループットを有する、請求項３５に記載のシステム。
【請求項３７】
前記エネルギー管理データは、少なくとも部分的に、前記エネルギー消費情報の分析に基づく、請求項３５に記載のシステム。
【請求項３８】
前記制御モジュールは、前記エネルギー消費情報の分析を実行するように構成される、請求項３５に記載のシステム。
【請求項３９】
前記エネルギー管理データは、前記受信器を標的とする、請求項３５に記載のシステム。
【請求項４０】
前記ブロードキャスト信号は、前記受信器に関連付けられた識別情報を含む、請求項３９に記載のシステム。
【請求項４１】
前記エネルギー消費変更は、エネルギー源の変更を含む、請求項３５に記載のシステム。
【請求項４２】
前記エネルギー消費変更は、消費されるエネルギー量の変更を含む、請求項３５に記載のシステム。
【請求項４３】
前記エネルギー消費変更は、運転点の変更、運転スケジュールの変更、及び運転パラメータの変更のうちの１つ又は複数を含む、請求項４２に記載のシステム。
【請求項４４】
エネルギー消費及びコストを管理する方法であって、
地上無線ＶＨＦ放送局のライセンス周波数のスペクトルマスク内で動作する広帯域デジタル副搬送波内で送信されるエネルギー管理データを受信することと、
前記エネルギー管理データの受信に応答して、１つ又は複数の装置の前記エネルギー消費を変更することと、
前記装置の前記エネルギー消費に少なくとも部分的に関連するエネルギー消費情報を特
定することと、
エネルギー消費情報を提供することと、
前記エネルギー消費情報の分析に応えて、前記装置の前記エネルギー消費を変更することと、
を含む、方法。
【請求項４５】
ライセンス地上無線ＶＨＦ放送局の前記広帯域デジタル副搬送波は、少なくとも１２ｋｂｐｓのデータスループットを有する、請求項４４に記載の方法。
【請求項４６】
前記エネルギー管理データは、ユーザプリファレンス及び独立データを含む、請求項４４に記載の方法。
【請求項４７】
前記ユーザプリファレンス及び前記独立データは、少なくとも部分的に前記エネルギー消費情報に基づく、請求項４６に記載の方法。
【請求項４８】
前記エネルギー管理データは、エネルギーアラート、負荷制御コマンド、エネルギー料金情報、エネルギー消費情報、及び環境情報のうちの１つ又は複数を含む、請求項４４に記載の方法。
【請求項４９】
前記エネルギー消費情報は、約１時間未満の間隔で提供される、請求項４４に記載の方法。
【請求項５０】
前記エネルギー消費情報は、約１５分未満の間隔で提供される、請求項４４に記載の方法。
【請求項５１】
エネルギー消費及びコストを管理するシステムであって、
地上無線ＶＨＦ放送局のライセンス周波数のスペクトルマスク内で動作する広帯域デジタル副搬送波内で送信されるエネルギー管理データを取得するように構成される受信器と、
前記エネルギー管理データの受信に応答して、１つ又は複数の装置の前記エネルギー消費を変更するように構成される制御モジュールと、
前記装置の前記エネルギー消費に少なくとも部分的に関連するエネルギー消費情報を特定するように構成されるエネルギー消費モニタであって、エネルギー消費情報を提供するように更に構成される、エネルギー消費モニタと、
を備え、
前記送信されるエネルギー管理データは、少なくとも部分的に、前記エネルギー消費情報の分析に基づく、システム。
【請求項５２】
前記送信されるエネルギー管理データは、少なくとも部分的に、ユーザインタフェースからのユーザ入力に更に基づく、請求項５１に記載のシステム。
【請求項５３】
前記ユーザ入力は制御規則を含む、請求項５２に記載のシステム。
【請求項５４】
前記制御モジュールは、前記エネルギー消費情報の分析に対応する情報を受信するように構成される、請求項５１に記載のシステム。
【発明の詳細な説明】
【技術分野】
【０００１】
緊急アラートシステム（ＥＡＳ）機器は、全国を通してテレビ、ラジオ、及びケーブル設備内の所定位置に存在し、何十年にもわたり局地気象非常事態に使用されている。ＥＡＳは現在、ＡＭ、ＦＭ、及び低電力ＦＭ局を含むアナログ及びデジタルラジオ放送局と、クラスＡテレビ及び低電力ＴＶ局を含むアナログ及びデジタルテレビ（ＤＴＶ）放送局と、アナログ、デジタル、及び無線ケーブルシステムと、直接放送衛星（ＤＢＳ）システム、衛星デジタルオーディオラジオシステム（ＳＤＡＲＳ）と、他のエンティティとで構成されている。
【背景技術】
【０００２】
現在のＥＡＳは階層アナログメッセージ配信システムであり、地域、州、又は国レベルのメッセージ発信者がＥＡＳメッセージを局から局に、問題のある「デイジーチェイン」式に中継する。緊急アラートを配信するこの既存の手法は、一次放送局から二次放送局へ、そして三次放送局へのアラートメッセージの再送信に頼る。この再送信プロセスは大きな遅延をもたらす。更に、このプロセスは一般に、人間の介入を必要とし、多くの場合、アラートの配信での失敗に繋がる崩壊点であることが分かっている。多くの場合、再送信要件は自由意志によるものであり、地方の放送局は、アラートの再生に、コマーシャルの時間を犠牲にする必要があり得ることから、金銭的な理由により、アラートを送信しないと判断することがある。
【０００３】
アラート配信の既存のシステムの更なる欠点は、個々のアラートを、そのアラートが有意味である人を標的とし、関係しない人には配信しないことができないことである。例えば、事故による有毒ガスの放出の現場近くの近隣の住民又は放出の風下の住民は、事象のアラートを受信する必要がある一方、放出点から距離的又は地形的に隔てられたエリアの住民は、そのアラートを受信する必要がないことがある。
【発明の概要】
【発明が解決しようとする課題】
【０００４】
エネルギー管理の分野では、需要応答及び自動需要応答プログラム及びシステムが、エネルギー生成不足又は分配寸断の期間中、ユーザ又は需要側負荷での低減を促進するために作成されている。これらのシステムは通常、特定のプログラムに入っているユーザのサブセットに送信される信号に頼る。過去十年にわたる大きな努力にも拘わらず、比較的小さな母集団の商業顧客及び産業顧客しか、これらのプログラムに参加してない。これらのシステムの多くは、エネルギー非効率性の原因についての適切な情報も提供しなければ、有効なエネルギー判断情報も提供しない。更に、これらの参加者の大半は、需要低減対策を開始する手動動作に頼る。この人間の介入は、達成される低減レベルの適時性及び程度を制限する。
【課題を解決するための手段】
【０００５】
広域マルチキャストベース又は地理的に的が絞られるか、若しくは個々の受信器ナローキャストモードのいずれかで、緊急警告及び情報目的で地上放送局でのデジタル副搬送波を使用するシステム及び方法が提供される。特定の実施形態は、デジタル副搬送波を用いた地上緊急ブロードキャスト警告を使用して、エネルギー供給及び負荷制御、エネルギー及び料金についての情報、エネルギー関連の「非常事態」、及び／又はスマートグリッド供給側及び需要側エネルギーマッチング信号を提供する。
【０００６】
ＦＭ放送ラジオ局を介して無線でブロードキャストされるアドレス指定可能な制御信号
により、エネルギー使用、生成、及び／又は分配の管理を可能にする実施形態を説明する。このシステムにより、エネルギー管理判断を、ユーザプリファレンス、現在又はリアルタイムのエネルギー料金、緊急事象、ブラウンアウト、停電、又は電力会社需要応答事象、クリティカルピーク料金事象、エネルギー負荷プロファイル特性、及び／又はグリッド又はマイクログリッド故障を含む他の要因を含み得るが、これらに限定されないエネルギー装置、使用、生成、及び／又は分配についてのデータを組み込む専用又はクラウドベースのエネルギー分析サーバ及びインテリジェンスによってガイドすることができる。
【０００７】
一実施形態では、システムは、エネルギールーティング切り替え、オン／オフ切り替え、オンオフ循環、システム又はサブシステムの設定点、サーモスタット、コンプレッサ、ポンプ、電気車両の充電ステーション、変圧器、及び他のエネルギー負荷及び／又は生成器のうちの１つ又は複数を制御することができるエネルギー料金情報、エネルギー負荷制御、及びエネルギー分配信号を含み得るＦＭラジオ副搬送波信号を無線でブロードキャストする。エネルギーコスト及びエネルギー負荷の使用に関連する情報は、示唆及び情報と共に同じシステムを通してブロードキャストし得、それにより、手動、半自動、及び自動の介入を通して、エネルギー負荷のより効率的な判断制御が可能である。
【０００８】
制御信号は、任意の数の顧客サイトエンドユーザ装置及び機器によって受信され、相互運用することができ、エンドユーザ装置及び機器は、エネルギー使用についての情報を受信し、それに対して作用し、且つ／又は表示することができ、それにより、ユーザは、エネルギー使用を遠隔から容易に調整するか、又は遠隔制御される個々のエネルギー負荷によってエネルギーの使用を自動的に調整することができる。実施形態は、データベースへのユーザプリファレンスの統合、捕捉、及びマッピングを組み込む。ユーザプリファレンスの例は、エネルギー使用、エネルギーコスト、快適性と経済性との所望のトレードオフであるが、これらに限定されない。システムは、そのような顧客プリファレンスを利用して、エネルギー効率動作についての様々な選択肢を遠隔から指示し、ＦＭブロードキャスト制御信号を通してエネルギー負荷を遠隔から制御することができる。
【０００９】
エネルギー管理インテリジェンスとユーザサイトとの通信のために、実施形態は、ＦＭラジオ局副搬送波の無線ブロードキャストを利用し、ＦＭ放送局は１０ワットを超える有効放射信号電力を有する。これらのブロードキャスト信号は、幅広いカバレッジ、高い信号強度、及び構造体透過能力を保有し、それにより、低コストのアドレス指定可能なＦＭ放送副搬送波受信器による略普遍的な受信を可能にし、この受信器は、個々のエネルギー負荷を制御し、且つ／又はエネルギー負荷機器の設定を遠隔から調整するデジタル出力又はアナログ出力を有する。システムは、ブロードキャスト情報のデジタル符号化と、ソフトウェア定義のアドレス指定とを更に利用して、複数のロケーションのエネルギー負荷及び／又はエネルギー負荷への設定の個々の管理を可能にする。
【００１０】
特定の実施形態は、エネルギー消費及びコストを管理するシステムを提供する。システムは、地上無線ＶＨＦ放送局のライセンス周波数のスペクトルマスク内で動作する広帯域デジタル副搬送波内で送信されるエネルギー管理データを取得するように構成される受信器と、エネルギー管理データの受信に応答して、１つ又は複数の装置のエネルギー消費を変更するように構成される制御モジュールと、少なくとも部分的に、装置のエネルギー消費に関連するエネルギー消費情報を特定するように構成されるエネルギー消費モニタであって、エネルギー消費情報を提供するように更に構成される、エネルギー消費モニタとを備え、制御モジュールは、エネルギー消費情報の分析に応答して、装置のエネルギー消費を変更するように更に構成される。
【００１１】
一実施形態では、ライセンス地上無線ＶＨＦ放送局の広帯域デジタル副搬送波は、少なくとも１２キロビット／秒（ｋｂｐｓ）を有する。別の実施形態では、エネルギー管理デ
ータは、少なくとも部分的に、エネルギー消費情報の分析に基づく。更なる実施形態では、制御モジュールは、エネルギー消費情報の分析を実行するように構成される。更なる実施形態では、エネルギー管理データは受信器を標的とする。一実施形態では、ブロードキャスト信号は、受信器に関連付けられた識別情報を含む。別の実施形態では、エネルギー消費変更は、エネルギー源の変更を含む。更なる実施形態では、エネルギー消費変更は、消費されるエネルギー量の変更を含む。更なる実施形態では、エネルギー消費変更は、運転点の変更、運転スケジュールの変更、及び運転パラメータの変更のうちの１つ又は複数を含む。
【００１２】
幾つかの実施形態によれば、エネルギー消費及びコストを管理する方法が提供される。方法は、地上無線ＶＨＦ放送局のライセンス周波数のスペクトルマスク内で動作する広帯域デジタル副搬送波内で送信されるエネルギー管理データを受信することと、エネルギー管理データの受信に応答して、１つ又は複数の装置のエネルギー消費を変更することと、少なくとも部分的に装置のエネルギー消費に関連するエネルギー消費情報を特定することと、エネルギー消費情報を提供することと、エネルギー消費情報の分析に応答して、装置のエネルギー消費を変更することとを含む。
【００１３】
一実施形態では、エネルギー管理データは、ユーザプリファレンス及び独立データを含む。別の実施形態では、エネルギー管理データは、エネルギーアラート、負荷制御コマンド、エネルギー料金情報、エネルギー消費情報、及び環境情報のうちの１つ又は複数を含む。更なる実施形態では、エネルギー消費情報は、約１時間未満の間隔で提供される。更なる実施形態では、エネルギー消費情報は、約１５分未満の間隔で提供される。
【００１４】
態様は、エネルギー消費及びコストを管理するシステムを記載する。システムは、地上無線ＶＨＦ放送局のライセンス周波数のスペクトルマスク内で動作する広帯域デジタル副搬送波内で送信されるエネルギー管理データを取得するように構成される受信器と、エネルギー管理データの受信に応答して、１つ又は複数の装置のエネルギー消費を変更するように構成される制御モジュールと、少なくとも部分的に、装置のエネルギー消費に関連するエネルギー消費情報を特定するように構成されるエネルギー消費モニタであって、エネルギー消費情報を提供するように更に構成される、エネルギー消費モニタとを備え、送信されるエネルギー管理データは、少なくとも部分的に、エネルギー消費情報の分析に基づく。
【００１５】
一実施形態では、送信されるエネルギー管理データは、少なくとも部分的に、ユーザインタフェースからのユーザ入力に更に基づく。別の実施形態では、ユーザ入力は制御規則を含む。更なる実施形態では、制御モジュールは、エネルギー消費情報の分析に対応する情報を受信するように構成される。
【００１６】
幾つかの実施形態は、システムマネージャを備える管理システムを提供し、システムマネージャは、１つ又は複数の装置にブロードキャストするメッセージを生成するように構成され、メッセージの内容は、少なくとも部分的に、ユーザプリファレンス、装置応答データ、及び外部ソースからのデータのうちの１つ又は複数に基づき、メッセージは管理データ及びアドレスを含み、システムマネージャは、少なくとも１２キロビット／秒（ｋｂｐｓ）のデータスループットを有し、地上無線ＶＨＦ放送局のライセンス周波数のスペクトルマスク内で動作する広帯域デジタル副搬送波を備えるブロードキャストチャネルを介して通信されるようにメッセージを提供するように更に構成され、システムマネージャは、ブロードキャストチャネルとは異なる通信チャネルを使用して、装置応答データを受信するように構成され、受信される装置応答データは、少なくとも部分的に、管理データに対して作用する装置の応答に基づく。
【００１７】
他の実施形態は、システムマネージャを備える管理システムを提供する。システムマネージャは、少なくとも部分的に、ユーザプリファレンス、装置応答データ、及び外部ソースからのデータのうちの１つ又は複数に基づき、メッセージを１つ又は複数の装置に提供するように構成される。各メッセージは管理データ及びアドレスを含む。システムマネージャは、ブロードキャストチャネルを介してメッセージを通信するように更に構成され、ブロードキャストチャネルは、少なくとも１２キロビット／秒（ｋｂｐｓ）のデータスループットを有し、地上無線ＶＨＦ放送局のライセンス周波数のスペクトルマスク内で動作する広帯域デジタル副搬送波内にあり、１つ又は複数の装置がメッセージを受信し、メッセージが装置のアドレスを含む場合に管理データに対して作用し、少なくとも部分的に、管理データに作用する結果に基づいて装置応答データを、無線ネットワークを介して送信することに応答して、無線ネットワークを介して装置応答データを受信するように更に構成される。
【００１８】
一実施形態では、管理システムは、ユーザプリファレンス、装置応答データ、及び外部ソースからのデータを記憶するように構成されるデータベースを更に備える。別の実施形態では、無線ネットワークを介して、ユーザプリファレンス及び外部ソースからのデータを受信するように更に構成される。更なる実施形態では、無線ネットワークはインターネットを含む。更なる実施形態では、システムマネージャは、ユーザプリファレンス、装置応答データ、及び外部ソースからのデータのうちの１つ又は複数の分析に少なくとも部分的に基づいて、メッセージを１つ又は複数の装置に提供するように更に構成される。
【００１９】
一実施形態では、管理データはエネルギー管理データを含む。別の実施形態では、装置は、エネルギー管理データの受信に応答して、装置のエネルギー消費を変更するように構成される制御モジュールを備える。別の実施形態では、装置は、少なくとも部分的に、装置のエネルギー消費に基づいてエネルギー消費情報を特定するように構成されるエネルギー消費モニタを更に備え、エネルギー消費モニタは、無線ネットワークを介してエネルギー消費情報をシステムマネージャに提供するように更に構成され、装置応答データはエネルギー消費情報を含む。更なる実施形態では、システムマネージャは、少なくとも部分的に、エネルギー消費情報の分析に基づいてエネルギー管理データを提供するように更に構成される。
【００２０】
装置を管理する方法が提供される。方法は、１つ又は複数の装置にブロードキャストするメッセージを生成することであって、メッセージの内容は、少なくとも部分的に、ユーザプリファレンス、装置応答データ、及び外部ソースからのデータのうちの少なくとも１つに基づき、メッセージは管理データ及びアドレスを含む、生成することと、少なくとも１２キロビット／秒（ｋｂｐｓ）のデータスループットを有し、地上無線ＶＨＦ放送局のライセンス周波数のスペクトルマスク内で動作する広帯域デジタル副搬送波を備えるブロードキャストチャネルを介して通信されるように、メッセージを提供することと、ブロードキャストチャネルとは異なる通信チャネルを使用して装置応答データを受信することであって、受信される装置応答データは、少なくとも部分的に、管理データに対して作用する装置の応答に基づく、受信することとを含む。
【００２１】
装置を管理する別の方法が提供される。方法は、少なくとも部分的に、ユーザプリファレンス、装置応答データ、及び外部ソースからのデータに基づき、メッセージを１つ又は複数の装置に提供することを含む。各メッセージは、管理データ及びアドレスを含む。方法は、ブロードキャストチャネルを介してメッセージを通信することであって、ブロードキャストチャネルは、少なくとも１２ｋｂｐｓのデータスループットを有し、地上無線ＶＨＦ放送局のライセンス周波数のスペクトルマスク内で動作する広帯域デジタル副搬送波内にある、通信することと、１つ又は複数の装置がメッセージを受信し、メッセージが装置のアドレスを含む場合に管理データに対して作用し、少なくとも部分的に、管理データ
に作用する結果に基づいて装置応答データを、無線ネットワークを介して送信することに応答して、無線ネットワークを介して装置応答データを受信することとを更に含む。
【００２２】
一実施形態では、方法は、ユーザプリファレンス、装置応答データ、及び外部ソースからのデータをデータベースに記憶することを更に含む。別の実施形態では、方法は、無線ネットワークを介して、ユーザプリファレンス及び外部ソースからのデータを受信することを更に含む。更なる実施形態では、無線ネットワークはインターネットを含む。更なる実施形態では、方法は、少なくとも部分的に、ユーザプリファレンス、装置応答データ、及び外部ソースからのデータのうちの１つ又は複数の分析に基づいて、メッセージを１つ又は複数の装置に提供することを更に含む。一実施形態では、管理データはエネルギー管理データを含む。別の実施形態では、方法は、エネルギー管理データの受信に応答して、装置のエネルギー消費を変更することを更に含む。更なる実施形態では、方法は、少なくとも部分的に、装置のエネルギー消費に基づいてエネルギー消費情報を特定することと、無線ネットワークを介して、エネルギー消費情報をシステムマネージャに提供することとを更に含み、装置応答データはエネルギー消費情報を含む。更なる実施形態では、方法は、少なくとも部分的に、エネルギー消費情報の分析に基づいてエネルギー管理データを提供することを更に含む。
【００２３】
一実施形態では、外部ソースからのデータは、再生可能エネルギー生成器からのセンサデータ及び天気データのうちの少なくとも１つを含み、メッセージは、再生可能エネルギー生成器からエネルギーを受け取る装置からのエネルギー負荷を制御するように構成される。別の実施形態では、外部ソースからのデータは、電気車両の充電ステーションからのセンサデータを含み、メッセージは、電気車両の充電ステーションにおいて充電されている電気車両の充電率を変更するように構成される。更なる実施形態では、外部ソースからのデータは、天気データ、蒸発散量データ、ユーザプリファレンス、及び用水量のうちの少なくとも１つを含み、メッセージは、電気モータ灌漑ポンプを制御するように構成される。更なる実施形態では、外部ソースからのデータは、交通センサからのデータ、交通カメラからのデータ、及び高速道路パトロール情報のうちの少なくとも１つを含み、メッセージは、高速道路電子メッセージボードを制御して、道路状況を表示するように構成される。
【００２４】
一実施形態では、外部ソースからのデータは、地震センサからのデータ、津波センサからのデータ、緊急天気センサからのデータ、洪水センサからのデータ、及び雪崩センサからのデータのうちの少なくとも１つを含み、メッセージは、緊急アラートを公衆装置に提供して、緊急情報を広めるように構成される。別の実施形態では、外部ソースからのデータは、異種緊急通信システムからの緊急データを含み、メッセージは、緊急データに基づいて、まとめられた緊急情報を公衆装置に提供して、緊急情報を広めるように構成される。更なる実施形態では、外部ソースからのデータは、ソフトウェアアップデート及びウィルス制御ソフトウェアのうちの少なくとも一方を含み、メッセージは、ソフトウェアアップデート及びウィルス制御ソフトウェアのうちの１つ又は複数を、アドレス指定可能な計算装置に提供するように構成される。更なる実施形態では、外部ソースからのデータは、複数の個々のソースからのボイスデータ、ピクチャデータ、及びビデオデータのうちの少なくとも１つを含み、メッセージは、複数の単一ソースからのボイスデータ、ピクチャデータ、及びビデオデータのうちの少なくとも１つを１つ又は複数のアドレス指定可能な装置に提供するように構成される。
【００２５】
本開示をまとめるために、本発明の特定の態様、利点、及び新規の特徴をここで説明した。本発明の任意の特定の実施形態により、必ずしも全てのそのような利点が達成されなくてもよいことを理解されたい。したがって、本発明は、本明細書において教示し得るか、又は示唆し得る他の利点を必ずしも達成せずに、本明細書に教示される一利点又は利点
群を達成又は最適化するように具現又は実施し得る。
【図面の簡単な説明】
【００２６】
【図１】特定の実施形態による、アドレス指定可能なエネルギー情報データを無線で配信するシステムを示す。
【図２】特定の実施形態による、エネルギー情報をＲＦ送信するための例示的なデータ構造及び情報を示す。
【図３】特定の実施形態によるエネルギーを管理するシステムを示す。
【図４】特定の実施形態による、エネルギー制御信号又は情報信号をエネルギー制御装置に送信するシステムを示す。
【図５】特定の実施形態による例示的なアドレス指定可能なエネルギー需要応答コントローラを示す。
【図６】特定の実施形態による、アドレス指定可能なデータを無線で配信する例示的な制御システムを示す。
【発明を実施するための形態】
【００２７】
システム及び方法の特徴について、上記をまとめた図面を参照してこれより説明する。図面全体を通して、参照番号は、参照される要素間の対応性を示すように再利用される。図面、関連付けられた説明、及び特定の実施態様は、本発明の実施形態を説明するために提供され、本開示の範囲を制限するものではない。
【００２８】
エネルギー使用需要管理の判断サポートシステムが提供される。このシステムは、エネルギー管理信号を、結合されたエネルギー消費者母集団に送信する一方向ブロードキャスト通信機能を含み、エネルギー消費者母集団は独立した機能を有して、エネルギー管理信号と相関付けることができるエネルギー消費データを返す。システムは、大きな母集団の装置を選択的に素早くアドレス指定するのに十分な帯域幅を有するＦＭ副搬送波を利用する。
【００２９】
ＲＤＳに基づくシステム等のブロードキャスト信号を利用する従来の手法は、利用可能な帯域幅が限られていることによって制約を受け、この限られた容量に起因して、より粒度が細かく、より進んだ需要管理手法を可能にするより高度なアドレス指定方式を利用することが不可能であった。本明細書に記載されるアドレス指定機能を利用するより高い帯域幅のシステムの出現により、従来の決定論的な管理方法の欠点を解消する確率的管理手法の利用が可能になる。
【００３０】
放送局副搬送波信号は、時間シフト、オン／オフ、周波数シフト可変速モータコントローラ、明暗調整可能なライトバラスト、及び／又はブロードキャスト送信器のカバレッジエリア全体を通して配置されるとともに、電気会社又はエネルギー会社のサービスエリア内に配置されるエネルギー貯蔵需要側装置を含め、遠くに配置され、広く分散したエネルギーコントローラへの信号伝達に使用することができる。そのように遠くに配置され分散する装置は、１つ又は複数の周波数トーンをオンオフすることを含む、そのようなブロードキャスト送信副搬送波に情報を付与すること、主搬送波に変調方式を付与すること、又はアナログ若しくはデジタル変調を放送局の主搬送波の副搬送波に付与することによって制御することができる。
【００３１】
個々のアラート、情報、及び装置制御のアドレス指定は、意図されるユーザ又は装置群によってカテゴリ化することができる。アドレス指定可能性は、第１応答者、地方自治体、特定の地理的エリアに居住している個人、モータ、ポンプ、家電、電気備品等の特定の使用特徴と、特定のＧＰＳ画定エリア内のモバイル及び／又は固定エンドポイント受信装置と、他のパラメータとを含むことができるが、これらに限定されない。
【００３２】
アラート及びメッセージのフィルタリングは、エンドポイント受信装置において様々な手段によって行うことができる。これは、所望のメッセージカテゴリのオプトイン、望ましくないカテゴリのオプトアウト、送られるべきメッセージの適切なタイプを定義するデフォルト設定、又はこれらの手法の任意の組合わせの形態をとることができる。
【００３３】
図１は、放送局副搬送波を通してアドレス指定可能なエネルギー情報を無線で配信するシステム１００を示す。幾つかの実施形態では、システム１００は、ライセンス一方向広帯域地上超短波（ＶＨＦ）又は他のブロードキャスト送信システムを利用し、「１対多」へのマルチキャスト又は「１対１」エネルギー若しくは「マシン対マシン」データ通信で動作して、エネルギー生成機器のローカルサイトにある送信器、エネルギー送信機器、及び／又はエネルギー負荷から離れて配置される装置を制御するように構成される。
【００３４】
他の実施形態では、システム１００は、エネルギーの分野を超えて、「マシン対マシン」情報及び装置制御に使用することができ、配水システム、産業加工、食料加工等を含み得る。
【００３５】
通常、エンドポイント装置又はマシン動作を測定し、その結果、エネルギー又は他の「マシン対マシン」装置情報及び制御情報を選択的に無線で広めるシステムは普通、双方向伝送システムを使用し、双方向伝送システムでは、情報又は装置制御信号を受信する「エンドポイント」装置は、同じ又は別の通信リンクを介して「リターンパス」情報を送信するようにも構成される。
【００３６】
広帯域幅高電力の一方向ＶＨＦ又は他の放送局の使用を通して情報及び装置制御信号を配信することの利点としては、「ファイアウォール」又は他の入力データ遮断方法を克服するとともに、介在する地形、介在する構造物、介在するコンクリート、ブロック、及び壁板壁、介在する鋼構造、及び介在する群葉に起因し得る情報及び制御信号の減衰を解消することが挙げられるが、これらに限定されない。情報及び装置制御の広帯域幅高電力の一方向ブロードキャストの使用が、確実なアウトバウンド通信及び装置制御に保証されるような場合、そのような通信リターンパスは通常、存在しない。
【００３７】
システム１００は、一方向ブロードキャストシステムを双方向通信システムのように挙動するように構成し、双方向通信システムでは、「リターンパス」通信は、自動的、インテリジェントに、且つ動的に作用される１つ又は複数の独立しているが相関付けられたデータ入力の集合体である。
【００３８】
システム１００は、独立データ１０１、ユーザプリファレンスデータ１０２、エネルギー判断モジュール１０３、及びアドレス指定可能なエネルギーデータ１０４を含む。エネルギー判断モジュール１０３は、独立データ１０１及びデータプリファレンスデータ１０２を受信し、少なくとも部分的に、受信された独立データ１０１及びユーザプリファレンスデータ１０２に基づいて、エネルギー判断を提供する。一実施形態では、エネルギー判断モジュール１０３はクラウドベースの計算システムを備える。別の実施形態では、エネルギー判断モジュール１０３は、「クラウドベース」であるか、又は１つ若しくは複数のローカル若しくは末端サーバに常駐する１つ又は複数のＩＤＳＳ「インテリジェントデータサポートシステム」又は「知識ベースのシステム」を備える。
【００３９】
独立データ１０１は、エネルギーデータ、エネルギー情報、エネルギー管理データ、又はエネルギー使用に関連する他のデータを含むが、これらに限定されない。独立データの例は、インターバルメータデータ、インターバルサブメータデータ、スマートメータデータ、天然ガスデータ、居住センサデータ、ＣＯ２又は酸素センサデータ、ＨＶＡＣシステ
ム設定点データ、照明レベルデータ、予測又は実際の天気パターン、予測又は実際の雲量、予測又は実際の雨量、予測又は実際の風のパターン、及び予測又は実際の局所的な環境状況、太陽照射度データ等の天気データ、独立しているが、エネルギー使用に関連する他のデータ状況、サービスエリアユーザ又はサービスエリアユーザのサブセットに配信すべき、設備から通知される自動需要応答（ＡＤＲ）信号、リアルタイム又は動的エネルギー供給及び料金信号、緊急又は他の非緊急情報、太陽光又は風力発電機の出力、動作の手動確認、動作の自動確認、及び所与のロケーションでの有用なエネルギーと無駄になったエネルギーの判断を可能にするような同様のデータである。
【００４０】
ユーザプリファレンスデータ１０２は、エネルギーコストについての情報に関連して調整し得る快適性レベル若しくは温度レベルについての好み、設備利用率についての好み、エネルギー料金についての好み、エネルギー削減機会についての好み、制御規則等を含め、エネルギー使用についての選択肢をユーザに提示するユーザインタフェース装置から受信される情報を含む。
【００４１】
エネルギー判断モジュール１０３は、独立データ１０１及び／又はユーザプリファレンスデータ１０２を含むデータベースと、データ１０１、１０２に対して作用して、一方向ＶＨＦブロードキャスト送信サイトから離れた装置群又は単一の装置への動作を自動的且つ動的に導出又は判断するモデリング要素とを備える。エネルギー判断モジュール１０３はアドレス指定可能なクラウドエネルギーデータ１０４を出力し、このデータは、情報を広める対象であり、且つ／又はそのような装置の制御を行う対象である遠隔に配置されたアドレス指定可能な装置にアドレス指定されたエネルギーデータ判断を備える。アドレス指定可能なクラウドエネルギーデータ１０４の例としては、エネルギーマシン制御、エネルギー負荷制御、マシンプロセス制御、ウェブベース及び／又はクラウドベースの分析アルゴリズムを使用するエネルギー送達ルーティング制御等が挙げられる。
【００４２】
一実施形態では、エネルギー判断モジュール１０３は、エネルギー最適化ドメインの知識を推測機能と組合わせて、システムが、データ１０１、１０２から有用なエネルギーのデータと無駄になったエネルギーのデータとを診断し、人間のコンサルタントのおよそ同じように挙動する出力１０４を提供できるようにする。エネルギー判断モジュール１０３は、データ１０１、１０２を収集して分析し、問題を識別して診断し、可能な動作方式を提案し、提案された動作を評価する。一実施形態では、エネルギー判断モジュール１０３のインテリジェント判断サポートシステムに埋め込まれるこれらの人工知能技法により、これらのタスクをクラウドベースのコンピュータ又はローカルコンピュータによって実行することが可能になる。
【００４３】
一実施形態では、エネルギー判断モジュール１０３は、人間の介入なしで複雑な認知作業を実行するインテリジェント計算エージェント及びアルゴリズムを備える。一実施形態では、エネルギー判断モジュール１０３は、エネルギーモデリング用のアクティブダイナミック及び／又はニューラルネットワーク判断サポートシステム「ＤＳＳ」を備え、アルゴリズムは、個々の装置又は装置群の制御信号及び／又はエネルギー情報を出力する、選択された認知的判断機能及び人工知能又はインテリジェントエージェント技術に基づき得る。
【００４４】
システム１００は、ＲＦ生成器１０５及び送信器１０６を更に備える。ＲＦ生成器１０５及び送信器１０６は、ライセンス地上放送局のライセンススペクトルマスク内で動作する広帯域デジタル副搬送波及びブロードキャスト送信局の要素を備える。一実施形態では、広帯域デジタル副搬送波は、少なくとも１６キロビット／秒（ｋｂｐｓ）のデータスループットを有する。別の実施形態では、広帯域デジタル副搬送波は、少なくとも１２ｋｂｐｓのデータスループットを有する。一実施形態では、放送局は、地上無線ＶＨＦ放送局
を含む。別の実施形態では、放送局は地上無線ＵＨＦ放送局を含む。一実施形態では、放送局は、少なくとも１００ワットのライセンス送信電力を有する。別の実施形態では、放送局は、平均周囲地形よりも少なくとも５００フィート上方に配置されるアンテナを用いて動作する。一実施形態では、放送局は、アナログ放送局である。別の実施形態では、放送局はデジタル放送局である。
【００４５】
一実施形態では、ＲＦ生成器１０５は、デジタル副搬送波変調器を有するＦＭスペクトルＲＦ生成器を含む。エネルギー判断データは、アドレス指定可能なエネルギーデータモジュール１０４からＲＦ生成器１０５に送信される。ＲＦ生成器１０５は、エネルギー判断データを、放送局の送信主搬送波を変調する副搬送波に付与する。一実施形態では、放送局は送信器１０６を備える。
【００４６】
幾つかの実施形態では、送信器１０６は、任意の帯域幅の主搬送波から任意のタイプの送信アンテナに概ね１０ワットを超える電力を送出するＡＭ中波送信器、ＦＭ  ＶＨＦ送信器、ＴＶ  ＶＨＦ又はＵＨＦ送信器、デジタルＶＨＦ、ＵＨＦマイクロ波送信器、及び衛星放送無線周波数送信器（ＲＦ）のうちの少なくとも１つを備える。
【００４７】
一実施形態では、送信器１０６はＦＭ  ＶＨＦ送信器を備え、アドレス指定可能なエネルギー判断データは、地上無線ＶＨＦ放送局のライセンス周波数の「スペクトルマスク」内で動作する広帯域デジタル副搬送波内で送信される。一実施形態では、ライセンス地上無線ＶＨＦ放送局の広帯域デジタル副搬送波は、少なくとも１６ｋｂｐｓのデータスループットを有する。更なる実施形態では、地上無線ＶＨＦ放送局は、少なくとも１００ワットのライセンス送信電力を有する。更なる実施形態では、地上無線ＶＨＦアナログ放送局は、平均周囲地形よりも少なくとも５００フィート上方に配置されるアンテナを用いて動作する。
【００４８】
システム１００は、復調器又は受信器−コントローラ１０７と、エネルギー負荷制御装置１０８とを更に備える。受信器−コントローラ１０７は、送信器１０６から送信されるデジタルＲＦ副搬送波信号を受信し、ＲＦ信号を復調して、アドレス指定可能なエネルギーデータ情報を抽出する。一実施形態では、受信器−コントローラ１０７は、アドレス指定可能なエネルギーデータを通して個々に、又は群としてアドレス指定される。受信器−コントローラ１０７は、幾つかの実施形態では、情報、装置制御信号、又は聴くことができる音楽及び情報若しくはテキスト、視覚的若しくは可聴アラート及びアラームを含む表示情報、若しくは情報若しくは制御信号をエンドポイントユーザ若しくは装置１０８に伝える他の方法を含む他の信号を送信することができる。
【００４９】
復調されたアドレス指定可能なエネルギーデータは、エネルギー負荷制御装置１０８に送信され、そこで表示されるか、又はエネルギー制御に使用される。一実施形態では、エネルギー負荷制御装置１０８は、アドレス指定可能なエネルギーデータを通して個々に又は群としてアドレス指定される。エネルギー制御に使用される場合、エネルギー負荷制御装置１０８は、装置を使用するエネルギーのエネルギー使用を制御する出力信号を生成する。制御出力信号の例は、ポンプのオン／オフ、真空蛍光バラスト設定点、ファンのオン／オフ、ボイラーのオン／オフ、温度設定、再熱コイルのオン／オフ、照明のオン／オフ又は減光、噴水のオン／オフ、泡風呂のオン／オフ、プールポンプのオン／オフ、機器のオン／オフ、選択されたサーモスタット又はＨＶＡＣ冷却水又はボイラーの設定点、選択された可変周波数ＡＣモータドライバ（ＶＦＤ）設定、電気車両充電器のオン／オフ、明滅光又はサウンドのアラート、エネルギー生成器、伝達システム、又はエネルギー負荷装置の他の制御であるが、これらに限定されない。
【００５０】
一実施形態では、エネルギー判断モジュール１０３は、変調器１０５及び送信器１０６
により遠隔の無線受信装置１０７にアドレス指定可能に送信して、装置１０８により情報又は装置制御を表示するための、データ情報及び／又は装置制御通知情報１０４として渡されるエネルギー判断出力制御信号及び情報の変更、完了、又は改良を行う協働ＩＤＳＳとして機能するように構成することもできる。エネルギー判断モジュール１０３は、独立データ入力１０１及びユーザプリファレンス１０２を相関付けて分析し、検証のために、送信システム１０５、１０６を通して分析の結果を送信する。この構成では、システム１００は、エネルギー判断モジュール１０３からの制御信号の改良、完了、及び改良を行う。様々な任意のエネルギー使用状況及び変数でのデータ収集、モデリングアルゴリズムによる分析、アドレス指定可能な情報及び装置制御の確立、統合解決策が到着するまでに独立データ１０１としてエネルギー判断モジュールにフィードバックされるそのような情報及び制御の送受信のプロセス。
【００５１】
一実施形態では、エネルギー判断モジュール１０３は、入力データ１０１、１０２に対して作用するエネルギー使用規則ベースを確立する。独立しているが、相関付けられたデータ１０１からフィードバックされるデータの使用を使用して、エネルギー判断モジュール１０３からのアドレス指定可能なエネルギーデータ１０４の出力の一貫性を検証しチェックすることができる。
【００５２】
エネルギー判断モジュール１０３の一実施形態は、エネルギー「ＤＳＳ」及び／又は「ＩＤＳＳ」システムを備え、以下のうちの１つ又は複数として構成することができる：回帰分析、線形回帰分析、離散選択モデリング、ロジスティック回帰分析、時系列モデリング、多変数適応回帰スプラインモデリング、マシン学習、ニューラルネットワーク、サポートベクターマシン、ｋ最近傍法、及び／又は地理空間予測モデリングのうちの１つ又は複数等の分析技法を使用して、独立した外部エネルギー・環境データ１０１及びユーザプリファレンス１０２を分析し、個々又は群になったエネルギー装置１０４を変調器１０５にアドレス指定して、送信器１０６によって送信するために、特定のエネルギー情報及び制御信号を出力するデータ駆動ＤＳＳ又はデータ指向ＤＳＳ。
【００５３】
幾つかの実施形態では、エネルギー判断モジュール１０３内でＩＤＳＳエージェントによって作用される独立データ１０１及びユーザプリファレンスデータ１０２を使用して、８０２．１１ベース等の無線であるか、又は装置通信及び制御にＩＰ又は他のフォーマットに基づくＰＬＣ「電力線搬送波」等のローカル伝送技法を使用する有線のいいずれかである局所化された制御信号伝達又は情報出力を提供し得る。
【００５４】
特定の実施形態では、エネルギー判断モジュール１０３の出力はデータを含み、そのデータから、エネルギーＤＳＳ「判断」及び／又はＩＤＳＳ「インテリジェント判断」が生成され、アドレス指定可能なエネルギーデータ１０４として渡されて、個々又は群になった受信装置１０７、１０８に割り当てられ、送信システム１０５、１０６により送信される。一実施形態では、８０２．１１又は有線ＰＬＣ電力線搬送波等の局所化された無線又は無線の通信の使用を使用して、広域カバレッジ放送局での輻輳を回避し得る。
【００５５】
他の実施形態では、エネルギー判断モジュール１０３は、エネルギーデータソース及び独立データソースからのビッグデータの処理に、Ｈａｄｏｏｐ（登録商標）等のビッグデータ処理技法を利用する。
【００５６】
個々の装置には、個々の負荷又はローカル有線又は無線リンクを介して接続し得る同じ場所に配置された負荷群が関連付けられる。個々の各負荷に関連付けられた受信器−コントローラユニット１０７は、付随する負荷に意図されるブロードキャスト送信を識別することができる。個々の装置又は装置群のアドレス指定に使用される要素の一例を表１に示す。
【表１】
2015524093.tif 000003
【００５７】
装置ブロードキャストアドレス指定は、装置ＩＤ、顧客ＩＤ、地理的場所ＩＤ、グリッドロケーションＩＤ、装置クラス、装置サブクラス、請求方式、グループ割り当て、特別ステータスコード等のうちの１つ又は複数を含み得る。装置ＩＤはアドレス指定可能な装置に関連付けられた識別子を含み、一方、顧客ＩＤは特定の顧客又は顧客群を識別する。地理的場所ＩＤの例は、地方ＩＤ、地域ＩＤ、地区ＩＤ等であるが、これらに限定されない。グリッドロケーションＩＤは、例えば、サブステーション、分配線、変圧器、又はサービス住所を識別し得る。住所内で、異なる装置クラスを識別し得、装置クラスは、セントラル空調ユニット、ポンプ、給湯器、サーモスタット、照明アレイ、プールポンプ、灌漑ポンプ、又は電気を消費する他の電気装置として装置を識別する。装置サブクラスは、識別された装置のエネルギー等級を識別する。
【００５８】
装置住所で識別される異なる請求方式の例は、商用産業ユーザ、農業、時間帯別（ＴＯＵ）エネルギー請求方式、リアルタイム領域（ＲＴＰ）エネルギー請求方式、ピーク時間帯領域（ＣＰＰ）エネルギー請求方式等のエネルギー使用請求方式を含む中小企業（ＳＭＥ）及び住宅請求方式、に限定されない。例えば、米国のみでも数にして１００以上の多くの料金構造がある。これらの料金構造は、新しいデジタルスマートメータを通して可能になり、そうして可能になるこれらの請求方式は、かつては「安価であり、定額で確実」であった電気エネルギーが「コストが高く、可変のペナルティベースの料金であり、昼間の天気関連の再生可能エネルギーへの高率義務付けに起因して不確実」になりつつある米国及び世界中でのエネルギー料金の新しいリアリティを含む。新興及び既存の電気エネルギー及び天然ガスエネルギー料金請求方式は、エネルギーが使用される時間、エネルギーが消費される時刻（真夏は、ＨＶＡＣシステムの幅広い使用に起因して最高料金である）、キロワット時（ｋＷｈ）、メガワット時（ＭＷｈ）、又はギガワット時（ＧＷｈ）単位での使用エネルギー量、並びにキロワット／時間間隔、メガワット／時間間隔、及びギガワット／時間間隔単位で表される、エネルギーが使用される速度に関連する。
【００５９】
ランダムグループ割り当ては、１つ又は複数の装置の群の共通住所セグメントを含む。これにより、緊急管理コマンドを、所与のカテゴリ内の装置の全母集団のうちのランダムに選択されたサブセットにブロードキャストすることが可能になる。したがって、例えば、３０分間隔の４つの連続した２時間期間中、ランダムに割り当てられたエンドポイント装置の４つの等しいサイズの群をシャットダウンすることができる。特別ステータスコードの例は、学校の休日中に使われないことが分かっている、施設内に配置されるコード指
定装置及び需要低減対策から一時的に除外されるコード指定場所等であるが、これらに限定されない。
【００６０】
図２は、ブロードキャストストリームにおいて受信器−コントローラユニットをアドレス指定する例示的なデータフォーマット２００を示す。メッセージは、スタータ又はヘッダ２０２と、ペイロード又はメッセージ２０４とを含む。図示の実施形態では、スタータは、受信器−コントローラユニットと同期するための１２８ビットの同期セグメントと、メッセージ２０４のサイズを示す６４ビットメッセージサイズセグメントと、受信器−コントローラユニットを識別する１２８ビットデジタルシグネチャと、エネルギーアラートの優先度レベルを識別する６４ビットアラート優先度セグメントとを含む。
【００６１】
図示のスタータ２０２は、誰又は何がメッセージを送信したかを示す６４ビットの発信者セグメントと、６４ビットのメッセージタイプセグメントとを更に含む。メッセージタイプの例は、学校の休日中に使われないことが分かっている、施設内に配置されるコード指定装置及び需要低減対策から一時的に除外されるコード指定場所である。図示のスタータ２０２は、１２８ビットの顧客ＩＤセグメントと、６４ビットのロケーションデータセグメントと、６４ビットのグリッドロケーションデータセグメント、６４ビットの請求方式セグメントとを更に含む。図示のスタータ２０２は、６４ビットの装置クラスセグメントと、６４ビットの装置サブクラスセグメントと、６４ビットのランダム化データセグメントと、６４ビットの特別コードセグメントとを更に含む。追加のセグメントを追加することができ、各セグメントのビット数は、図２の例とは異なり得る。
【００６２】
個々の負荷にアドレス指定されたメッセージを識別する論理は通常、ロケーション、装置タイプ、及び意図されるメッセージ受信者を記述する他の要因の組合わせを定義する、例えば、ＡＮＤ、ＮＡＮＤ、ＯＲ、ＮＯＲ等のブール演算子を含む。
【００６３】
ブロードキャスト信号は、需要応答アラート、需要応答イベント要求及びコマンド、エネルギー使用の管理に使用される信号、将来の料金変更又は予測を伝えるために使用される信号、現在の料金情報又は消費者アドバイス、並びに他の管理及びステータス情報を含み得る。アドレス指定能力を使用することにより、そのような信号を、ブロードキャスト信号シャドウ内の任意の数のエンドポイントに向けることができる。所与のメッセージの個々のエンドポイントターゲットの数は、単一のエンドポイント又は消費者から、数百万にもなり得る、カバレッジエリア内の母集団全体までを範囲とすることができる。
【００６４】
暑い夏の日のピーク需要イベント中に、直接負荷制御を利用する既存の需要管理システムを使用する場合、電力網の所与のセクション内の住宅の空調ユニットに接続された全ての装置は、４時間イベント時間窓中、各時間の幾らかの部分にわたりコンプレッサを循環してオフにすることが求められ得る。これは、その窓の各時間で、所与のセクション内の全ての住宅に影響する。
【００６５】
これとは対照的に、本明細書に記載されるアドレス指定機能を利用すると、空調機のより離散したサブセットに循環して後退するように求めることが可能である。例えば、制御可能な装置母集団の２０％を表すランダムに選択された群を、イベント窓の第１の時間中に循環して後退させることができ、次に、第２の時間中、装置の第２の異なる２５％のサブセットを循環して後退させ、次に、第３の時間中、装置の第３の更に異なる３０％のサブセットを循環して後退させ、最後に、最後の時間中、装置の第４の更に異なる２０％を循環して後退させることができる。更に、これらの割合調整は、例えば、全てのプールポンプが時間イベント内で循環して後退するが、空調循環が、特定の時間期間又はグリッドの特定のセクション内でのみ利用される場合のように、グリッドの各サブセクション内で別様に行うことができ、装置の異なるクラスで別様に行うことができる。したがって、ピ
ーク需要イベントの影響が低減する。
【００６６】
ブール演算子を使用して、上記例で説明した選択的アドレス指定を提供する一例は次の通りである：装置クラスＩＤ＜ＲｅｓｉｄＡＣ＞  ＡＮＤ  グリッドロケーションＩＤ＜ｓｕｂｓｔａｔｉｏｎＸＹＺ＞  ＡＮＤ  ランダムグループ＜１００１Ａ＞。他の実施形態では、アドレス復号化の他の方法が使用される。
【００６７】
本明細書に記載される選択的アドレス指定機能の有用性は、管理信号のブロードキャスト後のグリッドの局所化されたセクタ内で生じる消費電力の実際の変化を監視する能力が与えられる場合に増幅される。選択的なアドレス指定を用いる信号のブロードキャストにより、制御の粒度が増大する。これにより、需要の微調整が可能になるとともに、顧客の不快感の潜在性を低減することができる。
【００６８】
エネルギー使用の頻繁な測定及び通信を提供する、含まれるスマートメータ、インターバルメータ、及びサブメータ、進んだ計量基盤の出現により、エネルギー負荷消費源を特定し、非生産的、非効率的、且つ無駄なエネルギーの使用源及び設備のエネルギー使用に関連する地球温暖化ガス放出源を識別する分析アルゴリズムの開発が可能である。そのようなアルゴリズムは、ユーティリティピーク負荷又は伝送容量料金を回避し、他のエネルギーコスト節約対策を推進することにより、エネルギーコストを低減することができるシステム調整及び遠隔制御動作も識別する。
【００６９】
本明細書に記載されるシステムの様々な構成要素又は要素から、複数の実施形態を組み立て、利用することができることが認識される。エネルギーの使用、エネルギー負荷を遠隔から評価して制御し、エネルギー負荷を調整し、且つ又はエネルギー供給側の発電機、マイクログリッド、又はグリッドを制御する独自の方法を達成するために、記載されるシステムの要素が、個々に動作することもでき、又はこのシステムの１つ若しくは複数の要素と共に動作することもできることが理解される。
【００７０】
図３は、ブロードキャストエネルギー需要・応答システム３００を示し、このシステムは、ユーザ入力を受信する顧客インタフェース３１０と、エネルギー需要サポートシステム３５０と、ブロードキャストシステム３２０と、制御装置３３０とを含む。エネルギー判断・サポートシステムは、エネルギー管理システム３０２と、分析ソフトウェア又は分析論３０８とを含む。
【００７１】
顧客インタフェース３１０は、エネルギーコストについての情報に関連して調整し得る快適性レベル若しくは温度レベルについての好みを含め、エネルギー使用についての選択肢をユーザに提示し、ユーザの好みを捕捉する。住宅ユーザの場合、これは、暖房及び冷房に関連するライフスタイル選択、ポールポンプ動作、照明、家電の動作、在宅している時間数又は日数等を含み得る。商用顧客の場合、暖房及び冷房プロファイル、利用時間数又は稼働時間数、機器動作のタイミング、システム調整、需要低減イベントへの参加、他のビジネス、環境、天気、料金レベルへの応答等に関連する好み。顧客の好み及び入力を表す顧客インタフェース３１０からのデータは、エネルギー管理システム３０２に送信される。
【００７２】
分析論３０８は、需要応答又は他のエネルギー低減時間データ若しくは基準を提供するユーザ設備又は第三者データベースと通信する。本明細書に記載される需要管理判断サポートシステム３５０の分析モジュール又は分析論３０８は、天気等の変化する状況下でのアドレス指定可能な負荷セットの過去に基づく基線を表すデータを含む。判断サポートシステム３５０は、異なる需要管理行動から削減することができる、得られる合計負荷を予測することができ、そのような行動は、エンドポイントエネルギー消費装置の選択的にア
ドレス指定可能なサブセットに送信されるブロードキャスト信号を介して実施される。そのような代替と、エネルギーユーザのアドレス指定可能な母集団にわたる生じ得る影響の予測のモデリングとを使用して、需要管理の目標を達成する代替の選択肢を提示する。エネルギー情報を表すデータは、エネルギー管理システム３０２に送信される。
【００７３】
エネルギー管理・制御システム３０２のインテリジェンスは、専用サーバでホストされてもよく、又はクラウドベースのサーバ構成でホストされてもよい。特定の実施形態では、エネルギー管理システム３０２は、エネルギーインテリジェンスデータベース及びマイクロプロセッサを備える。
【００７４】
データベースは、顧客及び顧客サイト機器、サブシステム、及びシステム調整点についての固定及び／又は可変情報を含み、建物の面積、建物の包絡線特性、建築材料、ＨＶＡＣ及び他のエネルギー消費機器のタイプ及び容量、地理的場所、用途、典型的な利用率、エネルギー消費履歴、天気、環境、ガス使用、従業員負荷、機器負荷、照明負荷、太陽照射度等のデータを含むこともできる。データベースには、システム３００を介して通信することができる装置及びコントローラ３３０の情報詳細も含まれる。データベースは、使用時間又はリアルタイムエネルギー料金に影響する固定又は可変公共料金請求方式についての情報を含むこともできる。
【００７５】
エネルギー管理システム３０２のアプリケーションソフトウェアへの入力は、顧客入力及び／又は好みをマッピングする顧客インタフェース３１０からのデータと、詳細なエネルギー低減選択肢をマッピングする分析ソフトウェア３０８からのデータとを含む。一実施形態では、エネルギー管理データは、需要応答、緊急需要応答、経済的需要応答、及び補助的な需要応答のうちの１つ又は複数を含む。
【００７６】
エネルギー管理システム３０２は、システム３００の他の構成要素と通信する。エネルギー管理システム３０２からのエネルギー管理及び制御インテリジェンスは、ＦＭブロードキャスト送信システム又は他の送信符号化装置３２０からのＦＭブロードキャスト副搬送波信号を通して、１つ又は複数のアドレス指定可能な受信・制御装置３３０に送信するために提供される。一実施形態では、１つ又は複数のアドレス指定可能な受信装置３３０は、受信装置３３０の選択された群を含む。
【００７７】
一実施形態では、送信符号化装置３２０は、アドレス指定可能なデジタルコマンド、制御、及び情報を他のシステムモジュール、設備所有者又はオペレータ、及び／又は電力会社及び／又は第三者から受信し、このデータを、約１ワットを超える有効放射電力を有するＦＭ放送局副搬送波を介してブロードキャストされるように構成するソフトウェア及びハードウェアを備える。顧客制御装置３３０は、エネルギー消費負荷又は機器及び／又はエネルギー監視装置に接続される。
【００７８】
システム３００の幾つかの実施形態では、顧客サイトは、エネルギー使用、環境、利用率、天気、太陽照射度、天然ガス使用、及び顧客サイトについての他のエネルギー消費情報等についての情報をエネルギー管理システム３０２に送信するためのリターン又はフィードバックチャネル３６０を有し得る。そのようなリターンチャネルの一例は、スマートメータ３４０によって生成されるデータであることができる。一実施形態では、エネルギー消費情報は、約１時間未満の間隔で提供される。別の実施形態では、エネルギー消費情報は、約１５分未満の間隔で提供される。
【００７９】
図４は、エネルギー制御又は情報信号を遠隔のエネルギー負荷、エネルギー供給源、マイクログリッド、スマートグリッド、変圧器等へ送信するシステム４００を示す。制御コマンド及び他の情報を伝達する信号は、エネルギー管理システム３０２によって生成され
、ブロードキャストシステム３２０によってＦＭラジオ信号として様々な顧客サイトエネルギー制御装置４５０に送信される。一実施形態では、エネルギー管理システム３０２は、クラウドベース又はインターネットベースのエネルギー管理システム３０２を含む。一実施形態では、ブロードキャストシステム３２０は、デジタル副搬送波に変調されたエネルギー管理制御信号を送信するＦＭブロードキャストシステム３２０を含む。
【００８０】
各顧客サイト装置４５０は、ブロードキャスト信号を受信するＦＭ受信器４０２と通信する。一実施形態では、顧客サイトエネルギー制御装置４５０は、受信器４０２と、制御装置４０４〜４１０とを備える。別の実施形態では、受信器４０２は、顧客サイト制御装置４５０及び制御装置４０４〜４１０とは別個であり、異なる。図４に示される顧客サイト装置４５０の例は、空調ユニット４０６、給湯器４０８、及びプールポンプ４１０であるが、これらに限定されない。これらの装置４０６、４０８、４１０は、屋外に配置されてもよく、又は建物若しくは他の構造物の内部に配置されてもよい。一実施形態では、受信器−コントローラは、エネルギー管理データ又はエネルギー判断データを分析するように構成される。別の実施形態では、制御装置４５０、４０４〜４１０は、エネルギー管理データ又はエネルギー判断データを分析するように構成される。
【００８１】
受信器４０２は、デジタル化副搬送波データを復号化し、ローカルインテリジェンスを顧客サイト装置４５０に提供する。一実施形態では、受信器４０２は、デジタル化副搬送波データを復号化するマイクロプロセッサを備える。復号化されたデジタル化副搬送波データは、限定ではなく例として、情報、解釈データ等をアドレス指定するシステム又はサブシステムを含む。制御装置４０４〜４１０は、少なくとも部分的に復号化データに基づいて、中継又は電子制御の形態のアナログ出力及び／又はデジタル出力を提供して、デジタルＩ／Ｏ信号伝達を通してシステム、サブシステム、又はシステム調整を直接制御し得る。
【００８２】
図５は、例示的なアドレス指定可能なエネルギー効率・需要応答受信器／コントローラ５００を示す。一実施形態では、受信器／コントローラ５００は、エネルギー負荷、エネルギー供給源、マイクログリッド、スマートグリッド、及び／又は変圧器の制御、循環、又は遠隔調整を行うことを目的としたＦＭ放送局受信装置である。受信器／コントローラ５００は遠隔的に、顧客サイトエネルギー制御装置４５０、４０４〜４１０又はその近傍に配置することができる。受信器／コントローラ５００は、インテリジェンスを組み込み、マイクロプロセッサ及びファームウェア又はソフトウェアを備える。受信器／コントローラ５００は一意の識別情報５０２を含み、個々に、又は群として、電力会社の所与の地方のサービスエリア内の予め定義されるタイプの装置等、装置に信号伝達及び／又は制御するためにアドレス指定することができる。一意のアドレスを復号化すると、受信器−コントローラ５００は、そのアドレスに向けられたＦＭブロードキャスト副搬送波信号に応答し、アナログ出力５０４又はデジタル出力５０６を生成し、出力を使用して、装置又はシステムをオン又はオフに切り替え、装置又は装置のサブシステムを循環してオン又はオフにし、且つ／又はエネルギー負荷及びそのシステム又はサブシステムの調整又は設定点を制御し得る。一実施形態では、受信器−コントローラ５００は、Ｚｉｇｂｅｅ（登録商標）、８０２．１１、ＴＣＰ／ＩＰ、ＬＡＮ、ＭｏｄＢｕｓ（登録商標）、ＢａｃＮｅｔ（登録商標）、Ｐｏｗｅｒ  Ｌｉｎｅ  Ｃａｒｒｉｅｒ（登録商標）等のうちの１つ又は複数を使用して、エネルギー管理データをエネルギー制御装置４５０、４０４〜４１０に提供する。
【００８３】
図６は、アドレス指定可能なデータを無線で配信する例示的な制御システム６００を示す。制御システム６００は、上述したシステム１００、３００、４００と同様である。システム１００、３００、４００は、エネルギー管理データを配信するように向けられ、一方、システム６００は、管理データを配信するように向けられ、エネルギー管理システム
を含め、様々なシステムを管理するように構成することができる。
【００８４】
システム６００は、システムマネージャ６０８、ＲＦ生成器６０４、及び送信器６０６を備える。システムマネージャ６０８は、コンピュータ６１０及びメモリ６１２を備え、メモリ６１２は、データベース６１４と、データ分析プログラム又は分析論６１６とを含む。システムマネージャ６０８は、ネットワーク６１８からデータを受信し、データを記憶し、且つ／又は分析し、メッセージをＲＦ生成器６０４に提供するように構成される。一実施形態では、メッセージは図２において上述したように構成される。別の実施形態では、メッセージは、アドレス及び管理データを含む。アドレスは、特定の受信装置のアドレス又は複数の受信装置によって受信されるアドレスを含む。管理データは、受信装置又は受信装置に関連付けられた装置に、動作の実行、ステータスの報告等を行わせる１つ又は複数の命令又はコマンドを含むことができる。
【００８５】
一実施形態では、ネットワーク６１８は、コンピュータのグローバルネットワークである、インターネット等の公衆通信媒体を含む。別の実施形態では、ネットワーク６１８は、例えば、ローカルエリアネットワーク（ＬＡＮ）、広域ネットワーク（ＷＡＮ）、大都市圏ネットワーク（ＭＡＮ）、パーソナルエリアネットワーク（ＰＡＮ）、ニアミーエリアネットワーク（ＮＡＮ：ｎｅａｒ−ｍｅ  ａｒｅａ  ｎｅｔｗｏｒｋ）、キャンパス／コーポレートエリアネットワーク（ＣＡＮ）、専用通信線、電話網、無線データ伝送システム、双方向ケーブルシステム、カスタマイズ化コンピュータネットワーク、インタラクティブキオスクネットワーク、自動預入支払機ネットワーク、インタラクティブテレビ網等の私設通信媒体を含む。
【００８６】
コンピュータ６１０は、例として、本明細書に記載のように動作する、データ及び命令を表すプロセッサ、プログラム論理、又は他の基板構成物を備える。他の実施形態では、プロセッサは、コントローラ回路、プロセッサ回路、プロセッサ、汎用シングルチップ又はマルチチップマイクロプロセッサ、デジタル信号プロセッサ、埋め込みマイクロプロセッサ、マイクロコントローラ等を備えることができる。メモリ６１２は、コンピュータ６１０によって使用されるデータ及びアプリケーションを記憶する１つ又は複数の論理及び／又は物理的データ記憶システムを含むことができる。メモリ６１２は、例えば、ＲＡＭ、ＲＯＭ、ＥＰＲＯＭ、ＥＥＰＲＯＭ等を含む。一実施形態では、データベース６１４は１つ又は複数のデータベースを含む。別の実施形態では、分析論６１６は有利なことには、１つ又は複数のモジュールとして実施し得る。モジュールは有利なことには、１つ又は複数のプロセッサ６１０で実行されるように構成し得る。モジュールは、以下のうちのいずれも含み得るが、これらに限定されない：ソフトウェアオブジェクト指向ソフトウェア構成要素、クラス構成要素、及びタスク構成要素等のソフトウェア又はハードウェア構成要素、プロセスメソッド、関数、属性、プロシージャ、データ、データベース、データ構造、テーブル、アレイ、又は変数。
【００８７】
別の実施形態では、システムマネージャ６０８はクラウド６０２内にあり、又は換言すれば、システムマネージャ６０８のリソース及び／又はサービスは、クラウド計算サービスとして提供される。一実施形態では、クラウド計算は、主にインターネットを介して、システムマネージャ６０８等のリソースをユーザ又は加入者にサービスとして届けることを含む。一実施形態では、システムマネージャ６０８は、サービス（ＳａａＳ）クラウドコンピューティングとしてソフトウェアを備える。別の実施形態では、システムマネージャ６０８は、サービス（ＰａａＳ）クラウドコンピューティングとしてプラットフォームを備える。
【００８８】
ＲＦ生成器６０４は、管理データを含むアドレス指定されたメッセージをシステムマネージャ６０８から受信する。図１において上述したように、ＲＦ生成器６０４及び送信器
６０６は、ライセンス地上放送局のライセンススペクトルマスク内で動作する広帯域デジタル副搬送波及びブロードキャスト送信局の要素を備える。一実施形態では、ＲＦ生成器６０４は、デジタル副搬送波変調器を有するＦＭスペクトルＲＦ生成器を含む。
【００８９】
ＲＦ生成器６０４は、図１において上述したように、放送局の送信主搬送波を変調する副搬送波にアドレス指定されたメッセージを付与する。送信器６０６はＲＦ信号をブロードキャストする。
【００９０】
図６を参照して、システム６００は、１つ又は複数のＲＦ受信器６２０と、１つ又は複数の装置６２２とを更に備え、各装置６２２にはＲＦ受信器６２０が関連付けられる。一実施形態では、送信器６０６からの送信は、メッセージが、システムマネージャ６０８からの単一の送信で、受信器６２０及び関連付けられた装置６２２の群に送られるように、マルチキャスト送信を含む。受信器６２０及び関連付けられた装置６２２の群は、図２において上述したように、少なくとも部分的にメッセージのアドレスに基づいて、選択的に拡大するか、又は狭めることができる。例えば、メッセージは、市と共に全ての装置、特定の通りに配置された全ての装置、又は家庭内に配置された全ての装置に送信することができる。別の実施形態では、送信は、メッセージが、一意のアドレスによって識別された単一のＲＦ受信器６２０及びそれに関連付けられた装置６２２に送られるようなユニキャスト送信を含む。
【００９１】
一実施形態では、ＲＦ受信器６２０は装置６２２を含む。別の実施形態では、装置６２２はＲＦ受信器６２０を含む。図５において上述したように、受信器６２０は、Ｚｉｇｂｅｅ（登録商標）、８０２．１１、ＴＣＰ／ＩＰ、ＬＡＮ、ＭｏｄＢｕｓ（登録商標）、ＢａｃＮｅｔ（登録商標）、Ｐｏｗｅｒ  Ｌｉｎｅ  Ｃａｒｒｉｅｒ（登録商標）等のうちの１つ又は複数を使用して、管理データを装置６２２に提供し得る。別の実施形態では、装置６２２は、関連付けられた装置６２２にアドレス指定されたメッセージを受信して復号化するように構成される制御モジュールを更に備える。制御モジュールは、少なくとも部分的に、関連付けられた装置６２２にアドレス指定されたメッセージに基づいて、動作を実行するように更に構成することができる。
【００９２】
装置６２２の例は、制御装置、プールポンプ、ＡＣユニット、及び給湯器、図４に関して説明したようなスマートメータ、照明システム、プラグ負荷、ＨＶＡＣ冷蔵装置及び湯設定点、ＨＶＡＣモータ制御、産業用モータ、産業加工、食品加工、自動需要応答、電気車両の充電ステーション、灌漑ポンプ、高速道路電子メッセージディスプレイ、コンピュータ、ドアロック、窓ロック、タブレット、スマートフォン等の有線又は無線の装置、車両等であることができるが、これらに限定されない。
【００９３】
メッセージを受信し、少なくとも部分的にメッセージデータに基づいて動作を実行した後、装置６２２は、フィードバック又は応答データをシステムマネージャ６０８に提供する。一実施形態では、装置６２２は、ネットワーク６１８を通してシステムマネージャ６０８と通信する。別の実施形態では、装置６２２は、ネットワーク６１８を通してシステムマネージャ６０８と通信し、ネットワーク６１８はインターネットである。装置６２２と対話しているユーザは、インターネット、ＷｉＦｉ（登録商標）、又は他の通信媒体を使用して、タブレット、スマートフォン、ｉＰａｄ（登録商標）、又は他の個人計算装置６３０の使用を通して、応答データをシステムマネージャ６０８に提供する。
【００９４】
システムマネージャ６０８の視点から、ネットワーク６１８を介するフィードバック又は応答データパスは、リターン又はインバウンド通信パスを含み、ＲＦ生成器６０４及び送信器６０６を介するメッセージのブロードキャスト送信は、システム６００のアウトバウンド通信パスを含む。したがって、システム６００は、２つの異なる一方向通信パスを
使用する双方向通信システムを含む。
【００９５】
一実施形態では、装置６２２からのフィードバックは、装置アドレスと、フィードバックデータ又は装置応答データとを含むメッセージを含む。一実施形態では、フィードバックデータは、装置６２２のステータス、装置６２２のステータスの変更、装置６２２が動作を実行したことの確認、装置６２２からの読み取り値等のうちの１つ又は複数を含む。
【００９６】
システム６００は外部データソース６２４〜６３０を更に備え、これらのデータソースは、情報又はソースデータをシステムマネージャ６０８に提供するように構成される。ソースデータの例は、緊急アラートシステム６２６からの緊急アラート、電力会社６２８からの緊急料金、瞬間エネルギー料金、ブラウンアウトアラート等、タブレット、スマートフォン、ｉＰａｄ（登録商標）、個人計算装置等のユーザ装置６３０からの、例えば、温度設定、利用率スケジュール、上述したようなユーザフィードバック等のユーザプリファレンスであるが、これらに限定されない。他の実施形態では、データソース６２４の他の例は、スマートメータ、サブメータ、天気ステーション、天気データセンサ、利用率センサ、酸素センサ、二酸化炭素センサ、ガスセンサ、風力発電機センサ、太陽光発電機センサ、マイクログリッドセンサ、電気車両充電センサ、灌漑スケジュール、交通センサ、交通カメラ、地震センサ、洪水センサ、津波センサ、流れ警告センサ等であるが、これらに限定されず、データソースは、メータ読み取り値、天気データ、競り擁立、ガス濃度の指標、風力から利用可能な電力量、太陽光から利用可能な電力量、交通状況、悪天候状況、悪天候警告等であるが、これらに限定されないソースデータを提供する。
【００９７】
システムマネージャ６０８は、ネットワーク６１８を通して、ソースデータをデータソース６２４〜６３０から受信するとともに、フィードバック／応答データを装置６２２から受信する。一実施形態では、システムマネージャ６０８は、ソースデータ及び応答データをデータベース６１４に記憶する。別の実施形態では、システムマネージャ６０８は、プログラム又は分析論６１６を使用してソースデータ及び応答データを分析する。システムマネージャ６０８は、少なくとも部分的に、データソース６２４〜６３０からのソースデータ及び装置６２２からの応答データのうちの一方又は両方の分析に基づいて、装置６２２を制御するメッセージを更に提供する。
【００９８】
一実施形態では、システム６００は、クラウドベースのアドレス指定可能な無線マルチキャスト及びユニキャストネットワークを備える。様々な用途で、システム６００は、ネットワーク６１８を介して受信した１つ又は複数の非関連又は関連のデータ又は通信入力と、「クラウドマネージャ」又はシステムマネージャ６０８に常駐し、特定の方式を通して動作するアルゴリズム６１６とに基づいて、ＶＨＦ（又は他の）マルチキャスト又はユニキャストデジタル副搬送波を介して、アドレスして以下能又は他の様式で標的にされる（地理的に）情報、データ、通信、及び／又は制御信号を選択的に無線でブロードキャストすることに頼る。制御システム６００の様々な用途の例を以下に述べる。
【００９９】
エネルギー管理実施形態
システム６００は、様々な無線エネルギー情報、遠隔計測、エネルギー管理、再生可能エネルギー統合、及び建物、産業、食品加工、電力網、スマートグリッド、マイクログリッド等のエネルギー負荷制御用途に有用であることができる。
【０１００】
これらのエネルギー管理用途の実施形態は、１つ又は複数のデータ入力６２４〜６２８、ユーザ入力６３０、及びクラウドマネージャ６０８内の分析論６１６に基づく建物、住宅、及び産業エネルギー負荷の無線制御を含み、分析論６１６は、エネルギー効率、需要削減、エネルギーコスト管理、過負荷による中断の回避、エネルギースパイク等を含む１つ又は複数の理由のために、標的とされるエネルギー負荷を制御し、削減し、又は動作変
更するマルチキャスト又はユニキャスト副搬送波を通して、無線で遠隔から制御するか、変更する対象である特定のアドレス指定可能なエネルギー負荷を定義する。
【０１０１】
エネルギー管理実施形態では、データソース６２４は遠隔データセンサを含むことができ、遠隔データセンサは、スマートメータ、サブメータ、利用率センサ、酸素センサ、天気データセンサ、マイクログリッドセンサ、再生可能太陽光及び／又は風力発電機出力センサ、電気車両充電ステーションセンサ、又はエネルギーの生成若しくは使用に関連するか、若しくは影響する他のセンサを含むが、これらに限定されない。
【０１０２】
無線マルチキャスト又はユニキャストのブロードキャストネットワーク６０４、６０６を通してクラウドマネージャ６０８によって無線で制御すべき特定のアドレス指定可能なエネルギー負荷又は装置６２２は、照明システム、プラグ負荷、ＨＶＡＣ冷蔵装置及び湯設定点、ＨＶＡＣモータ制御、産業用モータ、産業プロセス、食品加工、及び自動需要応答動作を含むことができるが、これらに限定されない。
【０１０３】
エネルギー情報実施形態
他の実施形態では、システム６００を使用して、特定の個々のエネルギー負荷に許容可能な予め存在するか、又は現在の動作変更についてのユーザ入力６３０と、クラウドマネージャ６０８において一致するエネルギーペナルティ料金又は需要応答状況を無線でマルチキャスト又はユニキャストすることができる。少なくとも部分的にこれらの状況に基づいて、クラウドマネージャ６０８は、ＲＦ生成器６０４及び送信器６０６を含むブロードキャストシステムを使用して、特定のアドレス指定可能なコマンド及び制御データをブロードキャストして、特定のエネルギー負荷６２２の動作状況を変更することができる。
【０１０４】
再生可能エネルギー資源変動に対して高速応答する実施形態
太陽光エネルギー及び風力を使用する再生可能発電機は、主に、太陽照射度及び風速のそれぞれ等の現在の天気状況に基づいて変動する出力を有する。エネルギーの必要性の一部を再生可能発電機に頼る設備は多くの場合、設備が、再生可能システムエネルギー出力の中断を「乗り切る」（”ｒｉｄｅ  ｔｈｒｏｕｇｈ”）ことができるように、エネルギー貯蔵システムを含む。システム６００の実施形態を使用して、様々なセンサ６２４を通して準リアルタイムで再生可能エネルギーシステムの出力を測定し、ネットワーク６１８を通してこの情報をクラウドマネージャ６０８に伝えることができ、クラウドマネージャ６０８は、天気ステーション等のデータソース６２４から提供し得る天気、雲、風の低減、又は太陽照射度の低減に起因する差し迫った再生可能発電出力変動の現在又は将来の予測を組み込むこともできる。
【０１０５】
システム６００は、数マイクロ秒又は数秒、数時間、数日、数週間、又は数ヶ月等のそれよりも長い間隔の範囲の時間増分で、設備又はプロセスの実際のエネルギー要件を定期的又は周期的に分析して特定する。分析論６１６の使用、ユーザプリファレンス６３０の受信、及びクラウドシステムマネージャ６０８内に含まれるアドレス指定方式を通して、個々の非必須又は必須度がより低いエネルギー負荷を、ＲＦ生成器６０４及び送信器６０６を介して無線マルチキャスト又はユニキャストネットワークを通して選択的にアドレス指定して制御し、そのような機器の動作状況を変更して、再生可能エネルギー発電の短期変動を「乗り切る」ことができる。
【０１０６】
無線需要応答及び高速自動需要応答実施形態
幾つかの状況では、自動若しくは手動電力網オペレータ又は自動マイクログリッドオペレータが、エネルギー供給を超えるエネルギー負荷の状況に応答する。これらの時間中、エネルギーのブラウンアウト又は停電を回避するために、グリッドオペレータは、様々な時間枠で応答し、顧客に警告して、エネルギー負荷及び負荷プロファイルに警告し、ペナ
ルティ料金、エネルギーブラウンアウト、又は停電を回避する。システム６００の実施形態は、エネルギー供給及び需要が不均衡になり、エネルギーのペナルティ料金、ブラウンアウト、又は停電が生じるそのような状況に応答するように設計される。
【０１０７】
クラウドマネージャ６０８は、複数のエネルギーセンサデータ、関連センサデータ、天気データ、及びユーザ入力データをデータソース６２４〜６３０から常時受信することができ、クラウドマネージャ６０８はこれらのデータを分析して、システム６００においてアドレス指定し、動作制御又は変更することが可能なあらゆるエネルギー負荷６２２の要求される負荷プロファイル及び許可される負荷プロファイルを決定する。電力会社需要削減要件が、データソース６２４、６２８から地理的（マイクログリッド）又は区域全体スマートグリッド単位でクラウドマネージャ６０８に提供される場合、クラウドマネージャ６０８は、これらの不均衡エネルギーデータ入力に応答して、動作を大きく中断させず、又は不快さを増大させずに、システム６００によって接続された個々のエネルギー負荷６２２をアドレス指定し、動作制御することができる。エネルギー負荷を削減又はシフトすることにより、グリッド又はマイクログリッドの供給及び需要は急速に、消費者への大きなペナルティ料金なしで、又は大きなエネルギーブラウンアウト若しくは停電なしで、均衡することができる。
【０１０８】
電気車両のマイクログリッド管理実施形態
プラグイン電気車両の使用が増大するにつれて、プラグイン車両によって提示される充電エネルギー負荷はかなり大きく、且つ予測不可能になり得る。十分な数の電気プラグイン車両が、所与の場所の充電ステーションにプラグインされる場合、ペナルティ料金を発動するか、又はブラウンアウト若しくは停電を生じさせるおそれがある、局所的なエネルギーの供給及び需要の不均衡を生み出し得る、大きく、且つ予測不可能なエネルギー負荷を表し得る。ローカルセンサ６２４〜６３０のネットワーク及びクラウドマネージャ６０８を通して、システム６００の実施形態は、車両充電ステーション６２２からの程度、状況、及びプラグイン負荷並びに局所かマイクログリッド又はグリッドに提示される全ての他の負荷６２２を監視することができる。システム６００は、エネルギーの供給と需要との不均衡を検出し、プラグイン車両を無線でアドレス指定し、その充電率を制御又は変更して、エネルギーの供給と需要との均衡を確立することができる。これは、局所的なマイクログリッドエネルギー供給の一部が、変動する風力及び太陽光再生可能エネルギー資源からのものであり、プラグイン車両の更なる変動制負荷がシステム不均衡を生み出す場合に特に重要である。
【０１０９】
灌漑制御実施形態
大きな灌漑農業及び農耕があるエリアでは、電気モータ灌漑ポンプを用いる幅広い同時注水が、エネルギーの供給と需要との不均衡を生じさせることがある。全ての灌漑注水が同時に、又は同じ時間枠内で行われる場合、エネルギーの供給と需要との不均衡は大きくなることがある。システム６００の実施形態は、例えば、エネルギー使用、エネルギーの可用性、天気、蒸発散量（ＥＴ）、ユーザプリファレンス、及び穀物灌漑要件を含むが、これらに限定されないデータを提供するデータソース６２４を監視する。データソース６２４は、ネットワーク６１８を介してクラウドマネージャ６０８にソースデータを通信する。クラウドマネージャ６０８は分析し、ＲＦ生成器６０４及び送信器６０６を含むＲＦブロードキャストシステムを介してメッセージをブロードキャストし、アドレス指定可能な個々の灌漑ポンプ６２２のタイミング制御を提供し、幅広い同時灌漑注水からのエネルギー負荷の巨大な「上昇」を回避する。
【０１１０】
交通アラート実施形態
システム６００の実施形態は、信号機機能停止、緊急状況、犯罪、児童誘拐、自己、渋滞、道路ハザード、道路上の障害物等についての地域の交通情報並びにクラウドマネージ
ャ６０８へのユーザ入力６３０等のデータを提供する、交通センサ、交通カメラ、及び地域の消防、警察、又は高速道路パトロール情報等のデータソース６２４を含む。データソース６２４は、ネットワーク６１８を介してソースデータをクラウドマネージャ６０８に通信する。クラウドマネージャ６０８は、丁合をとり、分析し、ブロードキャストシステム６０４、６０６を通してアドレス指定可能な受信装置６２２及び対応車両６２２にメッセージを、時間遅延、注意して見る物品又は車両、代替のルート、ハザードを回避するために取るべき動作、及び緊急状況についての情報と共に送信する。
【０１１１】
緊急アラート実施形態
地震、洪水、津波、雪、雪崩、及び天気アラート
システム６００の実施形態は、早期警告地震センサ、天気緊急センサ、洪水センサ、津波警告センサ、雪崩警告センサ、ユーザ観測を報告するユーザ装置、警察、消防、及び他の緊急個人報告システム、並びに公衆安全及び治安に影響を及ぼすおそれがある他の緊急及び天気アラートソース等のデータソース６２４を含む。データソース６２４は、ネットワーク６１８を介してソースデータをクラウドマネージャ６０８に通信する。クラウドマネージャ６０８は、丁合をとり、分析し、本明細書に記載されるＲＦブロードキャストネットワーク６０４、６０６を介して公衆装置６２２に、地理的単位でアラート／警告メッセージを無線で広める。クラウドマネージャ６０８は、ネットワーク６１８又は他のデータセキュア通信データリンクによって、無線接続された装置６２２を通して公衆に通知する必要性を有する官庁に接続することもできる。
【０１１２】
第１応答者通信ネットワーク実施形態
今日、政府、軍、警察、消防、及び救急隊員は、異なる形態の通信及び周波数を使用して、局所ベースで各自のエージェンシー又は部門内で通信する。地域又は国の非常事態時には、まとまりのある部門間の通信能力のこの欠如により、第１応答者及び関心のある市民が、レスキューオペレーション及び回復オペレーションに参加するのが遅れる。システム６００の実施形態は、個々の別個の通信ボイス、データ、ピクチャ、及びビデオシステム６２４からソースデータを受信するように構成される。ソースデータは、装置、携帯電話、トランシーバ、警察及び消防の無線、又は他の有線若しくは無線のボイス、データ、ピクチャ、若しくはビデオ送信装置から受信することもできる。特定の実施形態では、ソースデータはデジタル化され、個々に無線で、又はネットワーク６１８を通してシステムマネージャ６０８に送信される。システムマネージャ６０８は分析し、分析されたデータのイネーブル又は許可された送信を受信器６２０及び関連付けられた装置６２２に再ブロードキャストする。受信器６２０は、アドレス指定可能な無線マルチキャスト及びユニキャスト副搬送波送信に合わせることができる。一実施形態では、装置６２２は、ソースデータを提供した、異なる通信ボイス、データ、ピクチャ、及びビデオシステム６２４と同じであり得、ここでは、それぞれが情報を発するのではなく、より総合的な情報を受信するだけである。システム６００の実施形態は、様々な異なる通信ネットワーク及び周波数からのまとまった通信ネットワークが存在できるようにする。
【０１１３】
コンピュータソフトウェア／ファームウェア更新及びウィルス制御実施形態
システム６００の実施形態は、遠隔コンピュータ及び装置に個々に到達し、ソフトウェア、ファームウェア、又はウィルス制御をアップグレードする低コストで信頼性の高い代替を可能にする。ソフトウェア及び／又はファームウェアウィルスは、コンピュータ、通信、エネルギーグリッド、輸送機関、及び産業制御を作動不能にすることができるテロリズムの一形態を表す。システム６００は、ネットワーク６１８を介してセキュアソース６２４からソースデータを受信することができる。システムマネージャ６０８は、ソースデータを分析し、ウィルス除去ソフトウェア、ファームウェア、又はソフトウェア／ファームウェア更新を無線装置６２２に高速広域ブロードキャストするメッセージを送信する。
【０１１４】
住宅／商用エネルギー／セキュリティ管理及びＢＭＳ／ＥＭＳ実施形態
多くの家庭及び企業は、それぞれの家庭又は企業のエネルギー又はセキュリティを遠隔制御する人的資源又は技術を保有していないことが多い。システム６００の実施形態は、ネットワーク６１８を介して、ユーザ６３０からのユーザプリファレンスと、エネルギーデータ及びセキュリティデータを提供するエネルギーセンサ及びセキュリティセンサ６２４のネットワークとを利用して、低コスト無線住宅及び商用エネルギー及びセキュリティ管理システムを確立する。クラウドマネージャ６０８は、分析論６１６を含み、センサデータ及びユーザプリファレンスを分析して、アラートを提供するとともに、ドアロック、窓ロック、エネルギー負荷等であるが、これらに限定されない個々の装置６２２を、ブロードキャストネットワーク６０４、６０６を通して遠隔から無線で制御する。
【０１１５】
エンターテイメント及びニュース実施形態
システム６００の実施形態を使用して、携帯電話、タブレット等を含む任意の有線又は無線装置６３０を使用する個々のユーザからボイス、ピクチャ、又はビデオデータを配信することができる。データソース６３０は、ボイス、ピクチャ、又はビデオソースデータをクラウドマネージャ６０８に通信する。クラウドマネージャ６０８は、丁合を合わせ、分析し、ＲＦ生成器６０４及び送信器６０６を含むＲＦブロードキャストシステムを介して、エンターテイメント及びニュースを個々にアドレス指定可能な装置６２２又は地理的に配置された装置６２２にブロードキャストする。
【０１１６】
広告実施形態
システム６００の実施形態を使用して、携帯電話、タブレット等を含む任意の有線又は無線データソース装置６２４を使用する個々の企業又はユーザからのボイス、ピクチャ、又はビデオ広告データの丁合を合わせる。データソース６２４は、ボイス、ピクチャ、又はビデオソースデータをクラウドマネージャ６０８に通信する。クラウドマネージャ６０８は、地域の広告を流布する目的で、丁合を合わせ、分析し、ＲＦ生成器６０４及び送信器６０６を含むＲＦブロードキャストシステムを介して、広告データを個々にアドレス指定可能な装置６２２又は地理的に配置された装置６２２にブロードキャストする。
【０１１７】
他の実施形態
一実施形態では、装置及びサブシステムのポータブル及びモバイルネットワークは、まとめて又は別個に動作し、対応する固定、ポータブル、及び／又はモバイル装置を通してのデジタルＦＭ副搬送波、デジタルＴＶ副搬送波、デジタルセルラシステム、デジタルケーブルブロードキャスト、デジタル衛星ブロードキャスト、ＬＡＮインタラクティブシステム、及び／又はＷＡＮインタラクティブシステムの使用を通して、緊急アラート機能の広域配信を構成する。
【０１１８】
別の実施形態は、固定、ポータブル、及び／又はモバイル装置をアドレス指定し、緊急アラート、デジタルエンターテイメント、遠隔制御装置、及び／又はデジタル情報を通信する、Ｈａｄｏｏｐ（登録商標）等の１つ又は複数の構造化又は非構造化データベースを含む装置、装置システム、及びソフトウェアを含む。そのようなクラウドベースのネットワーク「トラフィックディレクタ」は、構造化、非構造化、関係、及び／又は非関係データベース処理機能を使用し、無線受信可能な固定、ポータブル、及び／又はモバイル装置をアドレス指定することが可能になる。そのような装置は、デジタルＦＭ副搬送波ブロードキャスト、デジタルＴＶ副搬送波ブロードキャスト、デジタルケーブルブロードキャスト、デジタル衛星ブロードキャスト、デジタルセルラインタラクティブシステム、ＬＡＮインタラクティブシステム、及び／又はＷＡＮインタラクティブシステムを通して上記情報、エンターテイメント、及び／又は緊急アラートをそのような装置に無線送信するのに使用される方法及び放送局副搬送波を指示する。
【０１１９】
一実施形態は、中波ＡＭ、ＶＨＦ  ＦＭ、ＶＨＦ／ＵＨＦ  ＴＶ放送局デジタル副搬送波変調器を備えて、ＥＡＳ、国土安全保障、警察、消防、又は電力会社（ＤＲ）情報及びアラートを含むデジタル符号化情報及びアラート信号を放送局ＲＦ励振器に付与し、情報及びアラート信号の広域配信及び流布を行い、主搬送波送信電力レベルは１０ワットよりも大きい。
【０１２０】
一実施形態は、中波ＡＭ、ＶＨＦ  ＦＭ、ＶＨＦ／ＵＨＦ  ＴＶ放送局デジタル副搬送波変調器を備えて、デジタル符号化情報を放送局ＲＦ励振器に付与し、ソフトウェアプログラム、書籍、雑誌、ニュース、情報、オーディオ、ビデオ、及び／又は機器ファームウェア更新の広域配信及び流布を行い、主搬送波送信電力レベルは１０ワットよりも大きい。
【０１２１】
別の実施形態は、介在する有線又は無線中継点を使用せず、ＡＭ、ＦＭ、ＴＶ、放送局デジタルブロードキャスト副搬送波信号を通しての、情報、エンターテイメントの個々の装置の直接受信及び副搬送波復調及び／又は装置の直接制御を含む。
【０１２２】
別の実施形態は、地域配信強化のために介在する無線Ｗｉ−Ｆｉ（登録商標）、ＷｉＭａｘ（登録商標）、又はセルラ無線中継を通して、主にＡＭ、ＦＭ、ＴＶ、衛星デジタルブロードキャスト副搬送波信号から受信される情報、エンターテイメントの局地受信及び無線中継及び／又は装置の制御を含む。
【０１２３】
別の実施形態は、ブロードキャスト副搬送波アラートを受信して、受信器動作又はローカル装置、システム、又は設備（ＤＲを含むことができる）の制御を開始することを含む。
【０１２４】
別の実施形態は、受信されるブロードキャスト副搬送波アラートを使用して、視覚障害、聴覚障害、又は非英語話者の受信者への警告に適する情報及びアラートを提供する。
【０１２５】
別の実施形態は、設備の場所、設備の運転、設備の利用率、設備のエネルギー使用、地域の火災警報、煙探知器、照明レベル、ＣＯ２レベル、太陽光電力レベル、風速、ＥＶ充電活動等についてのローカルインテリジェンスを含み、ＡＭ、ＦＭ、又はＴＶセルラ、衛星、Ｗｉ−Ｆｉ（登録商標）又はＷｉＭａｘ（登録商標）デジタルブロードキャスト副搬送波信号ブロードキャスト信号から受信される加入者情報及びアラートによって起動することができる局地の制御ゲーティングとして機能する。
【０１２６】
別の実施形態は、無線ブロードキャストデジタル副搬送波受信装置、自動車両、ポータブル装置、又は設備レベルネットワークへのジオセントリック局地ゲーティングを含み、特定の地理的標的ＥＡＳ又は電気会社ＤＲ伝送を標的装置受信に合わせる。
【０１２７】
別の実施形態は、ＥＡＳ信号伝達ＣＡＰ（共通警告プロトコル）、ＤＴＭＦ信号伝達、ＤＲＡＳ、又は他の警告プロトコルを使用する地域、地区、又は国のＥＡＳ、地域の警察若しくは消防、又は電気会社ＤＲ警告からの入力を含む複数のアラート信号を含む。
【０１２８】
別の実施形態は、調光器、オン／オフスイッチ、ＶＦＤ、又はサーモスタット設定の直接無線ブロードキャスト副搬送波制御を含む。
【０１２９】
広域無線ＦＭ放送局配信を通して、又はＦＭ放送局群を通して、１つ又は複数の入力に基づいてエネルギー負荷を素早く配布し、リダイレクトし、又は制御するのに使用することができる装置及びアルゴリズムの方法及びシステムが提供される。非限定的であり、例示のため本明細書に記載されるシステム、方法、及び装置は、１つ又は複数のユーザ定義
の入力、自動信号伝達、自動アドレス指定可能装置をマッピングする分析入力、及び／又は１つ又は複数のＦＭ放送局副搬送波を通して遠隔エネルギー制御装置、負荷、負荷コントローラ、及び／又はエネルギー生成又は分配システムに伝達される配信制御信号を利用して、エネルギー負荷の状態を制御し、エネルギー負荷を削減し、エネルギー負荷を循環させ、且つ／又はエネルギー負荷システム設定を遠隔調整する複数の要件を満たす。システムを使用して、発電設備及び送電設備、マイクログリッド、グリッド及び／又はスマートグリッドのセクションの分配を制御又はリダイレクトすることができる。
【０１３０】
別の実施形態は、ソフトウェアアドレス指定可能であり、遠隔エネルギー負荷を直接又は間接的に制御するＦＭブロードキャスト副搬送波受信装置を含む。
【０１３１】
別の実施形態は、ソフトウェアアドレス指定可能であり、ローカル有線又は無線ＷｉＦｉ（登録商標）、Ｚｉｇｂｅｅ（登録商標）、又はＥｔｈｅｒｎｅｔ（登録商標）ルータにデジタル接続して、エネルギー負荷又はエネルギー負荷コントローラを局地でアドレス指定可能にアナログ中継制御又はデジタル制御するＦＭブロードキャスト副搬送波受信装置を含む。
【０１３２】
別の実施形態は、サーバから発せられ、特に、負荷をオン又はオフに切り替え、エネルギー負荷を循環させ、エネルギー負荷の運転パラメータ又は設定点をリセットし、エネルギー負荷を再分配又は削減する動作を開始する、ＦＭ放送局を介しての特定の信号伝達に応答しての、広い地理的エリアにわたるアドレス指定可能なエネルギー負荷及び／又は分配システム、装置、及び／又は制御エネルギー負荷を制御する必要性又は要望に応答して、放送局副搬送波に付与される特定の制御信号シーケンスを含む。
【０１３３】
別の実施形態は、エネルギー供給側グリッド、マイクログリッド、スマートグリッド、又は他のエネルギー供給分配網から消費されるエネルギー負荷量の予測又は測定に基づく、地理的に分散されたアドレス指定可能なエネルギー制御装置の動作を制御する信号伝達の広域無線ＦＭブロードキャスト送信を含む。
【０１３４】
別の実施形態は、制御信号を受信して応答する無線制御ＦＭブロードキャスト受信装置を含み、制御信号は、エネルギー供給側グリッド、スマートグリッド、マイクログリッド、天然ガスパイプライン、又は水道管路の過負荷を回避するための供給側需要エネルギー低減要件を目的として、ＦＭ放送局副搬送波によって送信される。需要応答及び自動需要応答プログラム
【０１３５】
別の実施形態は、広域にわたり地理的に分散した無線ＦＭ放送局副搬送波装置を含み、これらの装置は、設備でのエネルギーの過度の使用、過度のコスト、又は無駄を回避するために、ローカル又はクラウドベースのエネルギー分析システムから出てくる需要側エネルギー低減要件を目的として、放送局副搬送波によって送信される制御信号を受信して応答する。
【０１３６】
別の実施形態は、調光器、オン／オフスイッチ、可変周波数ＡＣモータドライバ（ＶＦＤ）、又はサーモスタット設定を制御する直接無線ブロードキャスト副搬送波通信及び制御信号を含む。
【０１３７】
別の実施形態は、装置、システム、又は設備制御の自動又は手動ゲーティングとして機能する局地のリアルタイム又は準リアルタイムの（特定）設備環境状況を含む。
【０１３８】
別の実施形態は、設備への安全なアクセスに影響する火災又は他の事象の場合の、警察官又は消防官による太陽光エネルギー生成システム又は風力エネルギー生成システムの、
遠隔オン／オフ制御を含み、設備内にそのようなシステムが配置されるか、又はそのようなシステムがそのような設備に電力を提供する。
【０１３９】
別の実施形態は、広域にわたり地理的に分散した無線制御装置を含み、これらの装置は、制御信号を受信して応答し、制御信号は、個々若しくは群になったサーモスタット又はＨＶＡＣ、ＡＣシステム、ヒートポンプ、若しくは給湯器の制御に使用される他の制御装置の温度及び／又はファン速度設定を制御するために、ＦＭ放送局副搬送波によって送信される。
【０１４０】
別の実施形態は、広域にわたり地理的に分散した無線制御装置を含み、これらの装置は、個々に、又はエネルギー負荷制御装置群として、ＦＭブロードキャスト信号制御信号又は個々若しくは群になった照明制御調光器若しくは照明オン／オフスイッチ、及び／又は中継器を制御する目的を受信して応答する。
【０１４１】
別の実施形態は、広域にわたり地理的に分散した無線制御装置を含み、これらの装置は、制御信号を受信して応答し、制御信号は、ＨＶＡＣシステムでの任意のタイプの弁、コンプレッサ、エアハンドラ、冷蔵装置、及びボイラーを制御することを目的として、放送局副搬送波によって送信される。
【０１４２】
別の実施形態は、広域にわたり地理的に分散したＦＭブロードキャスト無線制御装置を含み、この装置は、湯を湯再加熱コイルに送るために水を加熱するＨＶＡＣシステム温度制御の制御を目的として、制御信号を受信して応答する。
【０１４３】
別の実施形態は、広域にわたり地理的に分散した無線制御装置を含み、これらの装置は、制御信号を受信して応答し、制御信号は、ＨＶＡＣシステム湯「再加熱コイル」システムの起動及びその弁を制御することを目的として、放送局副搬送波によって送信される。
【０１４４】
別の実施形態は、広域にわたり地理的に分散した無線制御装置を含み、これらの装置は、制御信号を受信して応答し、制御信号は、電気車両の充電ステーションを制御することを目的として、放送局副搬送波によって送信される。
【０１４５】
別の実施形態は、広域にわたり地理的に分散した無線制御装置を含み、これらの装置は、制御信号を受信して応答し、制御信号は、バッテリ貯蔵、蓄熱、又は他のエネルギー貯蔵システムの制御を目的として、放送局副搬送波によって送信される。
【０１４６】
別の実施形態は、広域にわたり地理的に分散した無線制御装置を含み、これらの装置は、制御信号を受信して応答し、制御信号は、プール若しくはスパの水ポンプ又は給湯システムの制御を目的として、放送局副搬送波によって送信される。
【０１４７】
別の実施形態は、広域にわたり地理的に分散した無線制御装置を含み、これらの装置は、制御信号を受信して応答し、制御信号は、可変速ドライバ又は可変周波数モータコントローラの制御を目的として、放送局副搬送波によって送信される。
【０１４８】
実施形態に応じて、本明細書に記載される任意のアルゴリズムのある動作、事象又は機能は、異なる順番で実行することも、まとめて追加したり、マージしたり、省略したりすることもできる（例えば、記載される動作又は事象の全てがアルゴリズムの実践に必要であるとは限らない）。その上、ある実施形態では、動作又は事象は、例えば、マルチスレッド処理、割り込み処理、複数のプロセッサ若しくはプロセッサコアを通じて、又は、他の並列アーキテクチャ上で、順次によりもむしろ同時に、実行することができる。
【０１４９】
本明細書で開示される実施形態に関連して説明される様々な例示的な論理ブロック、モジュール及びアルゴリズム工程は、電子ハードウェア、コンピュータソフトウェア又は両方の組合せとして実装することができる。ハードウェアとソフトウェアのこの互換性を明確に例示するため、様々な例示的なコンポーネント、ブロック、モジュール及び工程を、一般に、それらの機能性の観点から上記で説明してきた。そのような機能性がハードウェアとして実装されるか、又は、ソフトウェアとして実装されるかは、全システムに課される特定のアプリケーション及び設計制約に依存する。説明される機能性は、特定の各アプリケーションに対して様々な方法で実装することができるが、そのような実装決定は、本開示の範囲からの逸脱を引き起こすものと解釈してはならない。
【０１５０】
本明細書で開示される実施形態に関連して説明される様々な例示的な論理ブロック及びモジュールは、一般用途プロセッサ、デジタル信号プロセッサ（ＤＳＰ）、ＡＳＩＣ、ＦＰＧＡ若しくは他のプログラマブル論理デバイス、個別のゲート若しくはトランジスタ論理、個別のハードウェアコンポーネント、又は、本明細書に記載される機能を実行するように設計されたそれらの任意の組合せなどの機械によって実装することも、実行することもできる。一般用途プロセッサは、マイクロプロセッサであり得るが、代替形態では、プロセッサは、コントローラ、マイクロコントローラ、状態機械、同じものの組合せ又は同様のものであり得る。また、プロセッサは、例えば、ＤＳＰとマイクロプロセッサとの組合せ、多数のマイクロプロセッサ、ＤＳＰコアと併せた１つ若しくは複数のマイクロプロセッサ、又は、他の任意のそのような構成などのコンピューティングデバイスの組合せとしても実装することができる。
【０１５１】
本明細書で開示される実施形態に関連して説明される方法、プロセス又はアルゴリズムの工程は、ハードウェアで、プロセッサによって実行されるソフトウェアモジュールで、又は、その２つの組合せで、直接具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ又は当技術分野で知られる他の任意の形式のコンピュータ可読記憶媒体に存在し得る。例示的な記憶媒体は、プロセッサが記憶媒体から情報を読み取ったり、記憶媒体に情報を書き込んだりすることができるように、プロセッサと結合することができる。代替形態では、記憶媒体は、プロセッサに内蔵することができる。プロセッサと記憶媒体は、ＡＳＩＣに存在し得る。
【０１５２】
ある実施形態の上記の詳述は、網羅的であることも、上記で開示される正確な形態に本発明を限定することも意図しない。本発明の特定の実施形態及び実施例は例示を目的として上記で説明されるが、当業者であれば理解されるように、様々な同等の変更形態が本発明の範囲内で可能である。例えば、プロセス又はブロックは所定の順番で提示されているが、代替の実施形態は、異なる順番で、工程を有するルーチンを実行することも、ブロックを有するシステムを使用することもでき、幾つかのプロセス又はブロックの削除、移動、追加、細分、組合せ及び／又は修正が可能である。これらのプロセス又はブロックの各々は、様々な異なる方法で実装することができる。また、プロセス又はブロックは、時折、連続して実行するものとして示されているが、これらのプロセス又はブロックは、代わりに、並行して実行することも、異なる時間に実行することもできる。
【０１５３】
文脈上明白に他の意味に解釈すべき場合を除いて、説明及び請求項全体を通じて、用語「備える、含む（ｃｏｍｐｒｉｓｅ）」、「備える、含む（ｃｏｍｐｒｉｓｉｎｇ）」及び同様のものは、排他的又は網羅的な意味とは対照的に、包括的な意味、即ち、「これらに限定されないが、〜を含む」の意味で解釈すべきである。用語「比例して（ｐｒｏｐｏｒｔｉｏｎａｌ  ｔｏ）」は、本明細書で一般的に使用される場合、少なくとも一部に基づいていることを指す。用語「結合された」又は「接続された」は、本明細書で一般的に使用される場合、直接接続することができるか、又は、１つ若しくは複数の中間要素を通
じて接続することができる２つ以上の要素を指す。それに加えて、用語「本明細書に」、「上記に」、「以下に」及び同様の用語の含みは、この出願で使用される場合、この出願の任意の特定の部分ではなく、この出願全体を指すものとする。文脈上許される限り、単数形又は複数形を使用する上記の発明を実施するための形態の用語はそれぞれ、複数形又は単数形も含み得る。２つ以上のアイテムのリストに関連する用語「若しくは、又は、あるいは」の場合、その用語は、次の用語解釈の全て、即ち、リストのアイテムのいずれか、リストのアイテムの全て、及び、リストのアイテムの任意の組合せを包含する。
【０１５４】
その上、特に、「〜することができる（ｃａｎ）」、「する場合がある（ｃｏｕｌｄ）」、「する可能性がある（ｍｉｇｈｔ）」、「〜し得る（ｍａｙ）」、「例えば（ｅ．ｇ．）」、「例えば（ｆｏｒ  ｅｘａｍｐｌｅ）」、「〜など（ｓｕｃｈ  ａｓ）」及び同様のものなど、本明細書で使用される条件語句は、他で具体的に述べられていない限り、又は、使用されるように文脈上理解されていない限り、一般に、ある実施形態はある特徴、要素及び／又は状態を含むが、他の実施形態はそれらを含まないことを伝えることを意図する。したがって、そのような条件語句は、一般に、特徴、要素及び／又は状態が１つ又は複数の実施形態にいかなる方法でも必要とされることを示唆することも、作者の入力又は指示の有無にかかわらず、これらの特徴、要素及び／又は状態を含めるかどうか、あるいは、任意の特定の実施形態で実行すべきかどうかを決定するための論理を１つ又は複数の実施形態が必ず含まなければならないことを示唆することも意図しない。
【０１５５】
本明細書で提供される本発明の教示は、必ずしも上記で説明されるシステムに限らず、他のシステムにも適用することができる。上記で説明される様々な実施形態の要素及び動作を組合わせて、更なる実施形態を提供することができる。
【０１５６】
本発明のある実施形態について説明してきたが、これらの実施形態は、単なる一例として提示され、本開示の範囲を限定することを意図しない。実際に、本明細書に記載される新規の方法及びシステムは、他の様々な形態で具体化することができ、その上、本明細書に記載される方法及びシステムの形態における様々な省略、置換及び変更は、本開示の精神から逸脱することなく行うことができる。本開示の範囲及び精神内に収まることになるため、添付の請求項及びそれらの均等物は、そのような形態又は変更形態を包含することを意図する。
【図１】
2015524093.tif 000004
【図２】
2015524093.tif 000005
【図３】
2015524093.tif 000006
【図４】
2015524093.tif 000007
【図５】
2015524093.tif 000008
【図６】
2015524093.tif 000009
【国際調査報告】
2015524093.tif 000010
2015524093.tif 000011